(57)【要約】ユーザ機器（ＵＥ）フィードバックに基づいて最大許容曝露（ＭＰＥ）制約を緩和することに関するワイヤレス通信システムおよび方法が提供される。第１のワイヤレス通信デバイスは、複数の報告を第２のワイヤレス通信デバイスに送信する、ここで、各報告は、ＭＰＥパラメータを満たす第１のワイヤレス通信デバイスにおける許容送信電力レベルを示す。第１のワイヤレス通信デバイスは、複数の報告に応答して、第１のワイヤレス通信デバイスに関連するＭＰＥプロファイルに基づく第１の構成を第２のワイヤレス通信デバイスから受信する。第１のワイヤレス通信デバイスは、第１の構成に基づいて第１のビーム上で第１の通信信号を第２のワイヤレス通信デバイスに送信する。【選択図】図４
2021514588.tif 000002
【特許請求の範囲】
【請求項１】
ワイヤレス通信の方法であって、
第１のワイヤレス通信デバイスによって、複数の報告を第２のワイヤレス通信デバイスに送信することと、ここで、各報告は、最大許容曝露（ＭＰＥ）パラメータを満たす前記第１のワイヤレス通信デバイスにおける許容送信電力レベルを示す、
前記第１のワイヤレス通信デバイスによって、前記複数の報告に応答して、前記第１のワイヤレス通信デバイスに関連するＭＰＥプロファイルに基づく第１の構成を前記第２のワイヤレス通信デバイスから受信することと、
前記第１のワイヤレス通信デバイスによって、前記第１の構成に基づいて第１のビーム上で第１の通信信号を前記第２のワイヤレス通信デバイスに送信することと
を備える方法。
【請求項２】
前記第１の通信信号を前記送信することは、前記第１の構成内のビームインデックス、送信電力パラメータ、またはリソース割振りのうちの１つに少なくとも基づいて前記第１のビーム上で前記第１の通信信号を送信することを含む、請求項１に記載の方法。
【請求項３】
前記第１のワイヤレス通信デバイスによって、トレーニング時間期間にわたって前記許容送信電力レベルを決定すること
をさらに備え、
前記ＭＰＥプロファイルは、少なくとも前記トレーニング時間期間にわたる前記許容送信電力レベルに関連する統計情報を含む、
請求項１に記載の方法。
【請求項４】
前記第１のワイヤレス通信デバイスによって、前記トレーニング時間期間を示す報告構成を前記第２のワイヤレス通信デバイスから受信すること
をさらに備える、請求項３に記載の方法。
【請求項５】
前記第１のワイヤレス通信デバイスによって、前記第１の通信信号を前記送信することが瞬間ＭＰＥパラメータを満たすかどうかを決定することと、
前記第１の通信信号を前記送信することが前記瞬間ＭＰＥパラメータを満たさないと決定したとき、前記第１のワイヤレス通信デバイスによって、瞬間ＭＰＥ違反報告を前記第２のワイヤレス通信デバイスに送信することと
をさらに備える、請求項１に記載の方法。
【請求項６】
前記第１のワイヤレス通信デバイスによって、前記瞬間ＭＰＥ違反報告に応答して第２の構成を前記第２のワイヤレス通信デバイスから受信することと、ここで、前記第２の構成は、更新されたビームインデックス、更新された送信電力パラメータ、または更新されたリソース割振りのうちの少なくとも１つを示す、
前記第１のワイヤレス通信デバイスによって、前記第２の構成に基づいて第２の通信信号を送信することと
をさらに備える、請求項５に記載の方法。
【請求項７】
前記第１のワイヤレス通信デバイスによって、前記複数の報告を第３のワイヤレス通信デバイスに送信すること
をさらに備え、
前記第２のワイヤレス通信デバイスと前記第３のワイヤレス通信デバイスとは異なる、
請求項１に記載の方法。
【請求項８】
前記第１のワイヤレス通信デバイスによって、前記第１のビームとは異なる第２のビーム上で第２の通信信号を前記第３のワイヤレス通信デバイスに送信すること
をさらに備え、
前記第１の構成は、前記第２のワイヤレス通信デバイスから前記第３のワイヤレス通信デバイスにハンドオーバするよう求める命令を示す、
請求項７に記載の方法。
【請求項９】
ワイヤレス通信の方法であって、
第１のワイヤレス通信デバイスによって、複数の報告を第２のワイヤレス通信デバイスから受信することと、ここで、各報告は、最大許容曝露（ＭＰＥ）パラメータを満たす前記第２のワイヤレス通信デバイスにおける許容送信電力レベルを示す、
前記第１のワイヤレス通信デバイスによって、前記複数の報告に応答して、前記第２のワイヤレス通信デバイスに関連するＭＰＥプロファイルに基づく第１の構成を前記第２のワイヤレス通信デバイスに送信することと、
前記第１のワイヤレス通信デバイスによって、前記第１の構成に基づいて第１のビーム上で第１の通信信号を前記第２のワイヤレス通信デバイスから受信することと
を備える方法。
【請求項１０】
前記第１のワイヤレス通信デバイスによって、前記複数の報告に少なくとも基づいて、前記第２のワイヤレス通信デバイスに関連する前記ＭＰＥプロファイルを決定することと、
前記第１のワイヤレス通信デバイスによって、前記ＭＰＥプロファイルに少なくとも基づいて、ビームインデックス、送信電力パラメータ、またはリソース割振りのうちの少なくとも１つを含む前記第１の構成を決定することと
をさらに備える、請求項９に記載の方法。
【請求項１１】
前記複数の報告を前記受信することが、トレーニング時間期間にわたって前記複数の報告を受信することを含み、前記方法は、
前記第１のワイヤレス通信デバイスによって、前記トレーニング時間期間にわたる前記許容送信電力レベルに関連する統計情報を含む前記ＭＰＥプロファイルを決定すること
をさらに備える、請求項９に記載の方法。
【請求項１２】
前記第１のワイヤレス通信デバイスによって、前記トレーニング時間期間を示す報告構成を前記第２のワイヤレス通信デバイスに送信すること
をさらに備える、請求項１１に記載の方法。
【請求項１３】
前記第１のワイヤレス通信デバイスによって、前記第１の通信信号を前記送信することに関連する瞬間ＭＰＥ違反報告を前記第２のワイヤレス通信デバイスから受信すること
をさらに備える、請求項９に記載の方法。
【請求項１４】
前記瞬間ＭＰＥ違反報告に応答して、前記第１の構成内のビームインデックス、送信電力パラメータ、またはリソース割振りのうちの少なくとも１つのうちの少なくとも１つを調整することによって、前記第１のワイヤレス通信デバイスによって、第２の構成を決定することと、
前記第１のワイヤレス通信デバイスによって、前記第２の構成を前記第２のワイヤレス通信デバイスに送信することと、
前記第１のワイヤレス通信デバイスによって、前記第２の構成に基づいて第２の通信信号を前記第２のワイヤレス通信デバイスから受信することと
をさらに備える、請求項１３に記載の方法。
【請求項１５】
前記第２のワイヤレス通信デバイスに関連する前記ＭＰＥプロファイルに基づいて前記第１の構成を決定するために、前記第１のワイヤレス通信デバイスによって、第３のワイヤレス通信デバイスと協調すること
をさらに備える、請求項９に記載の方法。
【請求項１６】
前記協調することは、
ネットワーク内の複数のワイヤレス通信デバイスに関連するネットワークレベルＭＰＥプロファイルを決定するために、前記第１のワイヤレス通信デバイスによって、前記第３のワイヤレス通信デバイスと協調することと、ここで、前記複数のワイヤレス通信デバイスは、前記第２のワイヤレス通信デバイスを含む、
前記ネットワークレベルＭＰＥプロファイルに基づいて前記第２のワイヤレス通信デバイスを前記第１のワイヤレス通信デバイスから前記第３のワイヤレス通信デバイスにハンドオーバするために、前記第１のワイヤレス通信デバイスによって、前記第３のワイヤレス通信デバイスと協調することと、
を含む、請求項１５に記載の方法。
【請求項１７】
装置であって、
複数の報告を第２のワイヤレス通信デバイスに送信することと、ここで、各報告は、最大許容曝露（ＭＰＥ）パラメータを満たす前記装置における許容送信電力レベルを示す、
前記複数の報告に応答して、前記装置に関連するＭＰＥプロファイルに基づく第１の構成を前記第２のワイヤレス通信デバイスから受信することと、
前記第１の構成に基づいて第１のビーム上で第１の通信信号を前記第２のワイヤレス通信デバイスに送信することと
を行うように構成されたトランシーバ
を備える装置。
【請求項１８】
前記トランシーバは、前記第１の構成内のビームインデックス、送信電力パラメータ、またはリソース割振りのうちの１つに少なくとも基づいて前記第１のビーム上で前記第１の通信信号を送信することによって、前記第１の通信信号を送信するようにさらに構成される、請求項１７に記載の装置。
【請求項１９】
トレーニング時間期間にわたって前記許容送信電力レベルを決定するように構成されたプロセッサ
をさらに備え、
前記ＭＰＥプロファイルは、少なくとも前記トレーニング時間期間にわたる前記許容送信電力レベルに関連する統計情報を含む、
請求項１７に記載の装置。
【請求項２０】
前記トランシーバは、
前記トレーニング時間期間を示す報告構成を前記第２のワイヤレス通信デバイスから受信すること
を行うようにさらに構成される、請求項１９に記載の装置。
【請求項２１】
前記第１の通信信号の前記送信が瞬間ＭＰＥパラメータを満たすかどうかを決定するように構成されたプロセッサ
をさらに備え、
前記トランシーバは、前記第１の通信信号の前記送信が前記瞬間ＭＰＥパラメータを満たさないと決定したとき、瞬間ＭＰＥ違反報告を前記第２のワイヤレス通信デバイスに送信するようにさらに構成される、
請求項１７に記載の装置。
【請求項２２】
前記トランシーバは、
前記瞬間ＭＰＥ違反報告に応答して第２の構成を前記第２のワイヤレス通信デバイスから受信することと、ここで、前記第２の構成は、更新されたビームインデックス、更新された送信電力パラメータ、または更新されたリソース割振りのうちの少なくとも１つを示す、
前記第２の構成に基づいて第２の通信信号を送信することと
を行うようにさらに構成される、請求項２１に記載の装置。
【請求項２３】
前記トランシーバは、
前記複数の報告を第３のワイヤレス通信デバイスに送信すること
を行うようにさらに構成され、
前記第２のワイヤレス通信デバイスと前記第３のワイヤレス通信デバイスとは異なる、
請求項１７に記載の装置。
【請求項２４】
前記トランシーバは、
前記第１のビームとは異なる第２のビーム上で第２の通信信号を前記第３のワイヤレス通信デバイスに送信すること
を行うようにさらに構成され、
前記第１の構成は、前記第２のワイヤレス通信デバイスから前記第３のワイヤレス通信デバイスにハンドオーバするよう求める命令を示す、
請求項２３に記載の装置。
【請求項２５】
装置であって、
複数の報告を第２のワイヤレス通信デバイスから受信することと、ここで、各報告は、最大許容曝露（ＭＰＥ）パラメータを満たす前記第２のワイヤレス通信デバイスにおける許容送信電力レベルを示す、
前記複数の報告に応答して、前記第２のワイヤレス通信デバイスに関連するＭＰＥプロファイルに基づく第１の構成を前記第２のワイヤレス通信デバイスに送信することと、
前記第１の構成に基づいて第１のビーム上で第１の通信信号を前記第２のワイヤレス通信デバイスから受信することと
を行うように構成されたトランシーバ
を備える装置。
【請求項２６】
前記複数の報告に少なくとも基づいて、前記第２のワイヤレス通信デバイスに関連する前記ＭＰＥプロファイルを決定することと、
前記ＭＰＥプロファイルに少なくとも基づいて、ビームインデックス、送信電力パラメータ、またはリソース割振りのうちの少なくとも１つを含む前記第１の構成を決定することと
を行うように構成されたプロセッサをさらに備える、請求項２５に記載の装置。
【請求項２７】
前記トランシーバは、トレーニング時間期間にわたって前記複数の報告を受信することによって前記複数の報告を受信するようにさらに構成され、前記装置は、
プロセッサが、前記トレーニング時間期間にわたる前記許容送信電力レベルに関連する統計情報を含む前記ＭＰＥプロファイルを決定するようにさらに構成されること
をさらに備える、請求項２５に記載の装置。
【請求項２８】
前記トランシーバは、
前記トレーニング時間期間を示す報告構成を前記第２のワイヤレス通信デバイスに送信すること
を行うようにさらに構成される、請求項２７に記載の装置。
【請求項２９】
前記トランシーバは、
前記第１の通信信号の前記送信に関連する瞬間ＭＰＥ違反報告を前記第２のワイヤレス通信デバイスから受信することと
を行うようにさらに構成される、請求項２５に記載の装置。
【請求項３０】
前記瞬間ＭＰＥ違反報告に応答して、前記第１の構成内のビームインデックス、送信電力パラメータ、またはリソース割振りのうちの少なくとも１つのうちの少なくとも１つを調整することによって、第２の構成を決定するように構成されたプロセッサ
をさらに備え、
前記トランシーバは、
前記第２の構成を前記第２のワイヤレス通信デバイスに送信することと
前記第２の構成に基づいて第２の通信信号を前記第２のワイヤレス通信デバイスから受信することと
を行うようにさらに構成される、請求項２９に記載の装置。
【請求項３１】
前記第２のワイヤレス通信デバイスに関連する前記ＭＰＥプロファイルに基づいて前記第１の構成を決定するために第３のワイヤレス通信デバイスと協調するように構成されたプロセッサ
をさらに備える、請求項２５に記載の装置。
【請求項３２】
前記プロセッサは、
ネットワーク内の複数のワイヤレス通信デバイスに関連するネットワークレベルＭＰＥプロファイルを決定するために前記第３のワイヤレス通信デバイスと協調することと、ここで、前記複数のワイヤレス通信デバイスは、前記第２のワイヤレス通信デバイスを含む、
前記ネットワークレベルＭＰＥプロファイルに基づいて前記第２のワイヤレス通信デバイスを前記装置から前記第３のワイヤレス通信デバイスにハンドオーバするために、前記第３のワイヤレス通信デバイスと協調することと
によって協調するようにさらに構成される、請求項３１に記載の装置。
【請求項３３】
プログラムコードを記録したコンピュータ読取可能な媒体であって、前記プログラムコードは、
複数の報告を第２のワイヤレス通信デバイスに送信することを第１のワイヤレス通信デバイスに行わせるためのコードと、ここで、各報告は、最大許容曝露（ＭＰＥ）パラメータを満たす前記第１のワイヤレス通信デバイスにおける許容送信電力レベルを示す、
前記複数の報告に応答して、前記第１のワイヤレス通信デバイスに関連するＭＰＥプロファイルに基づく第１の構成を前記第２のワイヤレス通信デバイスから受信することを前記第１のワイヤレス通信デバイスに行わせるためのコードと、
前記第１の構成に基づいて第１のビーム上で第１の通信信号を前記第２のワイヤレス通信デバイスに送信することを前記第１のワイヤレス通信デバイスに行わせるためのコードと
を備える、コンピュータ読取可能な媒体。
【請求項３４】
前記第１の通信信号を送信することを前記第１のワイヤレス通信デバイスに行わせるための前記コードは、前記第１の構成内のビームインデックス、送信電力パラメータ、またはリソース割振りのうちの１つに少なくとも基づいて前記第１のビーム上で前記第１の通信信号を送信するようにさらに構成される、請求項３３に記載のコンピュータ読取可能な媒体。
【請求項３５】
トレーニング時間期間にわたって前記許容送信電力レベルを決定することを前記第１のワイヤレス通信デバイスに行わせるためのコード
をさらに備え、
前記ＭＰＥプロファイルは、少なくとも前記トレーニング時間期間にわたる前記許容送信電力レベルに関連する統計情報を含む、
請求項３３に記載のコンピュータ読取可能な媒体。
【請求項３６】
前記トレーニング時間期間を示す報告構成を前記第２のワイヤレス通信デバイスから受信することを前記第１のワイヤレス通信デバイスに行わせるためのコード
をさらに備える、請求項３５に記載のコンピュータ読取可能な媒体。
【請求項３７】
前記第１の通信信号の前記送信が瞬間ＭＰＥパラメータを満たすかどうかを決定することを前記第１のワイヤレス通信デバイスに行わせるためのコードと、
前記第１の通信信号の前記送信が前記瞬間ＭＰＥパラメータを満たさないと決定したとき、瞬間ＭＰＥ違反報告を前記第２のワイヤレス通信デバイスに送信することを前記第１のワイヤレス通信デバイスに行わせるためのコードと
をさらに備える、請求項３３に記載のコンピュータ読取可能な媒体。
【請求項３８】
前記瞬間ＭＰＥ違反報告に応答して第２の構成を前記第２のワイヤレス通信デバイスから受信することを前記第１のワイヤレス通信デバイスに行わせるためのコードと、ここで、前記第２の構成は、更新されたビームインデックス、更新された送信電力パラメータ、または更新されたリソース割振りのうちの少なくとも１つを示す、
前記第２の構成に基づいて第２の通信信号を送信することを前記第１のワイヤレス通信デバイスに行わせるためのコードと
をさらに備える、請求項３７に記載のコンピュータ読取可能な媒体。
【請求項３９】
前記複数の報告を第３のワイヤレス通信デバイスに送信することを前記第１のワイヤレス通信デバイスに行わせるためのコード
をさらに備え、
前記第２のワイヤレス通信デバイスと前記第３のワイヤレス通信デバイスとは異なる、
請求項３３に記載のコンピュータ読取可能な媒体。
【請求項４０】
前記第１のビームとは異なる第２のビーム上で第２の通信信号を前記第３のワイヤレス通信デバイスに送信することを前記第１のワイヤレス通信デバイスに行わせるためのコード
をさらに備え、
前記第１の構成は、前記第２のワイヤレス通信デバイスから前記第３のワイヤレス通信デバイスにハンドオーバするよう求める命令を示す、
請求項３９に記載のコンピュータ読取可能な媒体。
【請求項４１】
プログラムコードを記録したコンピュータ読取可能な媒体であって、前記プログラムコードは、
複数の報告を第２のワイヤレス通信デバイスから受信することを第１のワイヤレス通信デバイスに行わせるためのコードと、ここで、各報告は、最大許容曝露（ＭＰＥ）パラメータを満たす前記第２のワイヤレス通信デバイスにおける許容送信電力レベルを示す、
前記複数の報告に応答して、前記第２のワイヤレス通信デバイスに関連するＭＰＥプロファイルに基づく第１の構成を前記第２のワイヤレス通信デバイスに送信することを前記第１のワイヤレス通信デバイスに行わせるためのコードと、
前記第１の構成に基づいて第１のビーム上で第１の通信信号を前記第２のワイヤレス通信デバイスから受信することを前記第１のワイヤレス通信デバイスに行わせるためのコードと
を備える、コンピュータ読取可能な媒体。
【請求項４２】
前記複数の報告に少なくとも基づいて、前記第２のワイヤレス通信デバイスに関連する前記ＭＰＥプロファイルを決定することを前記第１のワイヤレス通信デバイスに行わせるためのコードと、
前記ＭＰＥプロファイルに少なくとも基づいて、ビームインデックス、送信電力パラメータ、またはリソース割振りのうちの少なくとも１つを含む前記第１の構成を決定することを前記第１のワイヤレス通信デバイスに行わせるためのコードと
をさらに備える、請求項４１に記載のコンピュータ読取可能な媒体。
【請求項４３】
前記複数の報告を受信することを前記第１のワイヤレス通信デバイスに行わせるための前記コードは、トレーニング時間期間にわたって前記複数の報告を受信するようにさらに構成され、前記コンピュータ読取可能な媒体は、
前記トレーニング時間期間にわたる前記許容送信電力レベルに関連する統計情報を含む前記ＭＰＥプロファイルを決定することを前記第１のワイヤレス通信デバイスに行わせるためのコード
をさらに備える、請求項４１に記載のコンピュータ読取可能な媒体。
【請求項４４】
前記トレーニング時間期間を示す報告構成を前記第２のワイヤレス通信デバイスに送信することを前記第１のワイヤレス通信デバイスに行わせるためのコード
をさらに備える、請求項４３に記載のコンピュータ読取可能な媒体。
【請求項４５】
前記第１の通信信号の前記送信に関連する瞬間ＭＰＥ違反報告を前記第２のワイヤレス通信デバイスから受信することを前記第１のワイヤレス通信デバイスに行わせるためのコード
をさらに備える、請求項４１に記載のコンピュータ読取可能な媒体。
【請求項４６】
前記瞬間ＭＰＥ違反報告に応答して、前記第１の構成内のビームインデックス、送信電力パラメータ、またはリソース割振りのうちの少なくとも１つのうちの少なくとも１つを調整することによって、第２の構成を決定することを前記第１のワイヤレス通信デバイスに行わせるためのコードと、
前記第２の構成を前記第２のワイヤレス通信デバイスに送信することを前記第１のワイヤレス通信デバイスに行わせるためのコードと、
前記第２の構成に基づいて第２の通信信号を前記第２のワイヤレス通信デバイスから受信することを前記第１のワイヤレス通信デバイスに行わせるためのコードと
をさらに備える、請求項４５に記載のコンピュータ読取可能な媒体。
【請求項４７】
前記第２のワイヤレス通信デバイスに関連する前記ＭＰＥプロファイルに基づいて前記第１の構成を決定するために第３のワイヤレス通信デバイスと協調することを前記第１のワイヤレス通信デバイスに行わせるためのコード
をさらに備える、請求項４１に記載のコンピュータ読取可能な媒体。
【請求項４８】
前記第１の構成を決定するために協調することを前記第１のワイヤレス通信デバイスに行わせるための前記コードは、
ネットワーク内の複数のワイヤレス通信デバイスに関連するネットワークレベルＭＰＥプロファイルを決定するために前記第３のワイヤレス通信デバイスと協調することと、ここで、前記複数のワイヤレス通信デバイスは、前記第２のワイヤレス通信デバイスを含む、
前記ネットワークレベルＭＰＥプロファイルに基づいて前記第２のワイヤレス通信デバイスを前記第１のワイヤレス通信デバイスから前記第３のワイヤレス通信デバイスにハンドオーバするために前記第３のワイヤレス通信デバイスと協調することと
を行うようにさらに構成される、請求項４７に記載のコンピュータ読取可能な媒体。
【請求項４９】
装置であって、
複数の報告を第２のワイヤレス通信デバイスに送信するための手段と、ここで、各報告は、最大許容曝露（ＭＰＥ）パラメータを満たす前記装置における許容送信電力レベルを示す、
前記複数の報告に応答して、前記装置に関連するＭＰＥプロファイルに基づく第１の構成を前記第２のワイヤレス通信デバイスから受信するための手段と、
前記第１の構成に基づいて第１のビーム上で第１の通信信号を前記第２のワイヤレス通信デバイスに送信するための手段と
を備える装置。
【請求項５０】
前記第１の通信信号を送信するための前記手段は、前記第１の構成内のビームインデックス、送信電力パラメータ、またはリソース割振りのうちの１つに少なくとも基づいて前記第１のビーム上で前記第１の通信信号を送信するようにさらに構成される、請求項４９に記載の装置。
【請求項５１】
トレーニング時間期間にわたって前記許容送信電力レベルを決定するための手段
をさらに備え、
前記ＭＰＥプロファイルは、少なくとも前記トレーニング時間期間にわたる前記許容送信電力レベルに関連する統計情報を含む、
請求項４９に記載の装置。
【請求項５２】
前記トレーニング時間期間を示す報告構成を前記第２のワイヤレス通信デバイスから受信するための手段
をさらに備える、請求項５１に記載の装置。
【請求項５３】
前記第１の通信信号を前記送信することが瞬間ＭＰＥパラメータを満たすかどうかを決定するための手段と、
前記第１の通信信号を前記送信することが前記瞬間ＭＰＥパラメータを満たさないと決定したとき、瞬間ＭＰＥ違反報告を前記第２のワイヤレス通信デバイスに送信するための手段と
をさらに備える、請求項４９に記載の装置。
【請求項５４】
前記瞬間ＭＰＥ違反報告に応答して第２の構成を前記第２のワイヤレス通信デバイスから受信するための手段と、ここで、前記第２の構成は、更新されたビームインデックス、更新された送信電力パラメータ、または更新されたリソース割振りのうちの少なくとも１つを示す、
前記第２の構成に基づいて第２の通信信号を送信するための手段と
をさらに備える、請求項５３に記載の装置。
【請求項５５】
前記複数の報告を第３のワイヤレス通信デバイスに送信するための手段
をさらに備え、
前記第２のワイヤレス通信デバイスと前記第３のワイヤレス通信デバイスとは異なる、
請求項４９に記載の装置。
【請求項５６】
前記第１のビームとは異なる第２のビーム上で第２の通信信号を前記第３のワイヤレス通信デバイスに送信するための手段
をさらに備え、
前記第１の構成は、前記第２のワイヤレス通信デバイスから前記第３のワイヤレス通信デバイスにハンドオーバするよう求める命令を示す、
請求項５５に記載の装置。
【請求項５７】
装置であって、
複数の報告を第２のワイヤレス通信デバイスから受信するための手段と、ここで、各報告は、最大許容曝露（ＭＰＥ）パラメータを満たす前記第２のワイヤレス通信デバイスにおける許容送信電力レベルを示す、
前記複数の報告に応答して、前記第２のワイヤレス通信デバイスに関連するＭＰＥプロファイルに基づく第１の構成を前記第２のワイヤレス通信デバイスに送信するための手段と、
前記第１の構成に基づいて第１のビーム上で第１の通信信号を前記第２のワイヤレス通信デバイスから受信するための手段と
を備える装置。
【請求項５８】
前記複数の報告に少なくとも基づいて、前記第２のワイヤレス通信デバイスに関連する前記ＭＰＥプロファイルを決定するための手段と
前記ＭＰＥプロファイルに少なくとも基づいて、ビームインデックス、送信電力パラメータ、またはリソース割振りのうちの少なくとも１つを含む前記第１の構成を決定するための手段と
をさらに備える、請求項５７に記載の装置。
【請求項５９】
前記複数の報告を受信するための前記手段は、トレーニング時間期間にわたって前記複数の報告を受信するようにさらに構成され、前記装置は、
前記トレーニング時間期間にわたる前記許容送信電力レベルに関連する統計情報を含む前記ＭＰＥプロファイルを決定するための手段
をさらに備える、請求項５７に記載の装置。
【請求項６０】
前記トレーニング時間期間を示す報告構成を前記第２のワイヤレス通信デバイスに送信するための手段
をさらに備える、請求項５９に記載の装置。
【請求項６１】
前記第１の通信信号を前記送信することに関連する瞬間ＭＰＥ違反報告を前記第２のワイヤレス通信デバイスから受信するための手段
をさらに備える、請求項５７に記載の装置。
【請求項６２】
前記瞬間ＭＰＥ違反報告に応答して、前記第１の構成内のビームインデックス、送信電力パラメータ、またはリソース割振りのうちの少なくとも１つのうちの少なくとも１つを調整することによって、第２の構成を決定するための手段と、
前記第２の構成を前記第２のワイヤレス通信デバイスに送信するための手段と、
前記第２の構成に基づいて第２の通信信号を前記第２のワイヤレス通信デバイスから受信するための手段と
をさらに備える、請求項６１に記載の装置。
【請求項６３】
前記第２のワイヤレス通信デバイスに関連する前記ＭＰＥプロファイルに基づいて前記第１の構成を決定するために第３のワイヤレス通信デバイスと協調するための手段
をさらに備える、請求項５７に記載の装置。
【請求項６４】
前記第１の構成を決定するために協調するための前記手段は、
ネットワーク内の複数のワイヤレス通信デバイスに関連するネットワークレベルＭＰＥプロファイルを決定するために前記第３のワイヤレス通信デバイスと協調することと、ここで、前記複数のワイヤレス通信デバイスは、前記第２のワイヤレス通信デバイスを含む、
前記ネットワークレベルＭＰＥプロファイルに基づいて前記第２のワイヤレス通信デバイスを前記装置から前記第３のワイヤレス通信デバイスにハンドオーバするために、前記第３のワイヤレス通信デバイスと協調することと
を行うようにさらに構成される、請求項６３に記載の装置。
【発明の詳細な説明】
【関連出願への相互参照】
【０００１】
[0001]本願は、２０１９年１月２４日に出願された米国非仮特許出願第１６／２５６，６０３号および２０１８年２月１６日に出願された米国仮特許出願第６２／７１０，４２１号の優先権および利益を主張し、これらは、すべての適用可能な目的のために、そして以下に完全に記載されているかのように、その全体が参照により本明細書に組み込まれる。
【技術分野】
【０００２】
[0002]本開示で説明する技術は一般に、ワイヤレス通信システムおよび方法に関し、より具体的には、ネットワーク支援を用いたミリメートル波（ミリ波）送信に対する最大許容曝露（ＭＰＥ）制約を緩和することに関する。特定の実施形態は、基地局（ＢＳ）がユーザ機器デバイス（ＵＥ）からＵＬ送信電力情報の履歴または統計値を収集し、収集された履歴または統計値に基づいてＵＥのためのＵＬ送信構成を決定するための改善された通信技法を可能にし、提供することができる。
【背景技術】
【０００３】
[0003]ワイヤレス通信システムは、音声、ビデオ、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。ワイヤレス多元接続通信システムは、各々が、別名ユーザ機器（ＵＥ）として知られ得る複数の通信デバイスのための通信を同時にサポートするいくつかの基地局（ＢＳ）を含み得る。
【０００４】
[0004]拡張されたモバイルブロードバンド接続性に対する高まる需要を満たすために、ワイヤレス通信技術は、ＬＴＥ（登録商標）技術から次世代新無線（ＮＲ）技術に進歩している。接続性を拡張するための１つの技法は、より低い周波数が過密になりつつあるため、周波数動作範囲をより高い周波数に拡張することであり得る。例えば、約３０ギガヘルツ（ＧＨｚ）〜約３００ＧＨｚのミリ波周波数帯域は、高データレート通信のために広い帯域幅を提供することができる。しかしながら、ミリ波周波数帯域は、従来のワイヤレス通信システムによって使用されるより低い周波数帯域と比べて、より高い経路損失を有し得る。
【０００５】
[0005]このより高い経路損失を克服するために、ＢＳおよびＵＥは、ビームフォーミングを使用して、通信のための指向性リンクを形成し得る。ミリ波システムにおけるビームフォーミングの実際の適用は、規制の観点からいくつかの制約を克服する必要がある。例えば、連邦通信委員会（ＦＣＣ）および国際非電離放射線防護委員会（ＩＣＮＩＲＰ）ならびに異なる地域にわたる複数の他の規制機関は、様々なキャリア周波数において送信機にＭＰＥ制約を課す。ＭＰＥ制約は、典型的に、放射電力の短期時間平均、放射電力の中期時間平均、放射電力の局所空間平均、および／または放射電力の中空間平均の観点から指定される。ＭＰＥ制約を課すことは、危険な動作条件を防止し、ユーザの最適な健康を確実にし、および／またはミリ波送信からの電磁汚染またはノイズ／干渉を低減することができる。
【０００６】
[0006]特定のミリ波システムでは、ＵＥは、ＵＥにおいて自律的にまたはローカルにＭＰＥ制約を決定し、それに準拠し得る。例えば、ＵＥは、ＵＥのアンテナまたはアンテナアレイからユーザの身体部分（例えば、手、顔、足首、等）までの距離を検出し、検出された距離に基づいてＭＰＥ制約を決定し、検出された距離に基づいてＭＰＥ準拠ＵＬ電力を使用して送信し得る。しかしながら、ＵＥにおける自律的なまたはローカルな検出およびＵＬ電力調整は、最適な性能を提供しない可能性がある。
【発明の概要】
【０００７】
[0007]説明される技術の基本的な理解を提供するために本開示のいくつかの態様の概要を以下に示す。この概要は、本開示の意図されるすべての特徴の広範な概略ではなく、本開示のすべての態様の主要な要素または重要な要素を識別することも、本開示の任意のまたはすべての態様の範囲を線引きすることも意図しない。その唯一の目的は、後に提示されるより詳細な説明への前置きとして、本開示の１つまたは複数の態様のいくつかのコンセプトを概要形式で提示することである。
【０００８】
[0008]例えば、本開示の態様では、ワイヤレス通信の方法は、第１のワイヤレス通信デバイスによって、複数の報告を第２のワイヤレス通信デバイスに送信することと、ここで、各報告は、最大許容曝露（ＭＰＥ）パラメータを満たす第１のワイヤレス通信デバイスにおける許容送信電力レベルを示す、第１のワイヤレス通信デバイスによって、複数の報告に応答して、第１のワイヤレス通信デバイスに関連するＭＰＥプロファイルに基づく第１の構成を第２のワイヤレス通信デバイスから受信することと、第１のワイヤレス通信デバイスによって、第１の構成に基づいて第１のビーム上で第１の通信信号を第２のワイヤレス通信デバイスに送信することとを含む。
【０００９】
[0009]本開示の追加の態様では、ワイヤレス通信の方法は、第１のワイヤレス通信デバイスによって、複数の報告を第２のワイヤレス通信デバイスから受信することと、ここで、各報告は、最大許容曝露（ＭＰＥ）パラメータを満たす第２のワイヤレス通信デバイスにおける許容送信電力レベルを示す、第１のワイヤレス通信デバイスによって、複数の報告に応答して、第２のワイヤレス通信デバイスに関連するＭＰＥプロファイルに基づく第１の構成を第２のワイヤレス通信デバイスに送信することと、第１のワイヤレス通信デバイスによって、第１の構成に基づいて第１のビーム上で第１の通信信号を第２のワイヤレス通信デバイスから受信することとを含む。
【００１０】
[0010]本開示の追加の態様では、装置は、複数の報告を第２のワイヤレス通信デバイスに送信することと、ここで、各報告は、最大許容曝露（ＭＰＥ）パラメータを満たす装置における許容送信電力レベルを示す、複数の報告に応答して、装置に関連するＭＰＥプロファイルに基づく第１の構成を第２のワイヤレス通信デバイスから受信することと、第１の構成に基づいて第１のビーム上で第１の通信信号を第２のワイヤレス通信デバイスに送信することとを行うように構成されたトランシーバを含む。
【００１１】
[0011]本開示の追加の態様では、装置は、複数の報告を第２のワイヤレス通信デバイスから受信することと、ここで、各報告は、最大許容曝露（ＭＰＥ）パラメータを満たす第２のワイヤレス通信デバイスにおける許容送信電力レベルを示す、複数の報告に応答して、第２のワイヤレス通信デバイスに関連するＭＰＥプロファイルに基づく第１の構成を第２のワイヤレス通信デバイスに送信することと、第１の構成に基づいて第１のビーム上で第１の通信信号を第２のワイヤレス通信デバイスから受信することとを行うように構成されたトランシーバを含む。
【００１２】
[0012]本開示の追加の態様では、コンピュータ読取可能な媒体は、プログラムコードを記録しており、このプログラムコードは、複数の報告を第２のワイヤレス通信デバイスに送信することを第１のワイヤレス通信デバイスに行わせるためのコードと、ここで、各報告は、最大許容曝露（ＭＰＥ）パラメータを満たす第１のワイヤレス通信デバイスにおける許容送信電力レベルを示す、複数の報告に応答して、第１のワイヤレス通信デバイスに関連するＭＰＥプロファイルに基づく第１の構成を第２のワイヤレス通信デバイスから受信することを第１のワイヤレス通信デバイスに行わせるためのコードと、第１の構成に基づいて第１のビーム上で第１の通信信号を第２のワイヤレス通信デバイスに送信することを第１のワイヤレス通信デバイスに行わせるためのコードとを含む。
【００１３】
[0013]本開示の追加の態様では、コンピュータ読取可能な媒体は、プログラムコードを記録しており、このプログラムコードは、複数の報告を第２のワイヤレス通信デバイスから受信することを第１のワイヤレス通信デバイスに行わせるためのコードと、ここで、各報告は、最大許容曝露（ＭＰＥ）パラメータを満たす第２のワイヤレス通信デバイスにおける許容送信電力レベルを示す、複数の報告に応答して、第２のワイヤレス通信デバイスに関連するＭＰＥプロファイルに基づく第１の構成を第２のワイヤレス通信デバイスに送信することを第１のワイヤレス通信デバイスに行わせるためのコードと、第１の構成に基づいて第１のビーム上で第１の通信信号を第２のワイヤレス通信デバイスから受信することを第１のワイヤレス通信デバイスに行わせるためのコードとを含む。
【００１４】
[0014]本開示の追加の態様では、装置は、複数の報告を第２のワイヤレス通信デバイスに送信するための手段と、ここで、各報告は、最大許容曝露（ＭＰＥ）パラメータを満たす装置における許容送信電力レベルを示す、複数の報告に応答して、装置に関連するＭＰＥプロファイルに基づく第１の構成を第２のワイヤレス通信デバイスから受信するための手段と、第１の構成に基づいて第１のビーム上で第１の通信信号を第２のワイヤレス通信デバイスに送信するための手段とを含む。
【００１５】
[0015]本開示の追加の態様では、装置は、複数の報告を第２のワイヤレス通信デバイスから受信するための手段と、ここで、各報告は、最大許容曝露（ＭＰＥ）パラメータを満たす第２のワイヤレス通信デバイスにおける許容送信電力レベルを示す、複数の報告に応答して、第２のワイヤレス通信デバイスに関連するＭＰＥプロファイルに基づく第１の構成を第２のワイヤレス通信デバイスに送信するための手段と、第１の構成に基づいて第１のビーム上で第１の通信信号を第２のワイヤレス通信デバイスから受信するための手段とを含む。
【００１６】
[0016]本発明の他の態様、特徴、および実施形態は、本発明の特定の例示的な実施形態の以下の説明を、添付の図と併せて検討することで、当業者に明らかになるであろう。本発明の特徴は、以下で特定の実施形態および図に関連して説明され得るが、本発明のすべての実施形態は、本明細書で説明される有利な特徴のうちの１つまたは複数を含むことができる。換言すると、１つまたは複数の実施形態は特定の有利な特徴を有するものとして説明され得るが、そのような特徴のうちの１つまたは複数はまた、本明細書で説明される発明の様々な実施形態にしたがって使用され得る。同様に、例示的な実施形態は、デバイス、システム、または方法の実施形態として以下で説明され得るが、そのような例示的な実施形態が様々なデバイス、システム、および方法でインプリメントされ得ることは理解されるべきである。
【図面の簡単な説明】
【００１７】
【図１】[0017]図１は、本開示のいくつかの実施形態に係る、ワイヤレス通信ネットワークを例示する。
【図２】[0018]図２は、本開示の実施形態に係る、例示的なユーザ機器（ＵＥ）のブロック図である。
【図３】[0019]図３は、本開示の実施形態に係る、例示的な基地局（ＢＳ）のブロック図である。
【図４】[0020]図４は、本開示のいくつかの実施形態に係る、最大許容曝露（ＭＰＥ）コンプライアンスのための通信方法のシグナリング図である。
【図５】[0021]図５は、本開示のいくつかの実施形態に係る、ＭＰＥコンプライアンスのための通信方法のシグナリング図である。
【図６】[0022]図６は、本開示のいくつかの実施形態に係る、ＭＰＥコンプライアンスのための通信方法のシグナリング図である。
【図７】[0023]図７は、本開示のいくつかの実施形態に係る、ＭＰＥコンプライアンスのためのアップリンク（ＵＬ）構成方法を例示する概略図である。
【図８】[0024]図８は、本開示の実施形態に係る、ＭＰＥコンプライアンスのための通信方法のフロー図である。
【図９】[0025]図９は、本開示の実施形態に係る、ＭＰＥコンプライアンスのための通信方法のフロー図である。
【詳細な説明】
【００１８】
[0026]添付の図面に関連して以下に記載される詳細な説明は、様々な構成の説明を目的としたものであり、本明細書で説明されるコンセプトが実施され得る唯一の構成を表すよう意図されるものではない。詳細な説明は、様々なコンセプトの完全な理解を与えるために特定の詳細を含む。しかしながら、これらのコンセプトがこれらの特定の詳細なしに実施され得ることは、当業者に明らかになるであろう。いくつかの事例では、そのようなコンセプトを曖昧にしないために、周知の構造および構成要素はブロック図の形式で示される。
【００１９】
[0027]本開示は、一般に、ワイヤレス通信ネットワークとも呼ばれる２つ以上のワイヤレス通信システム間の許可された共有アクセスを提供することまたはそれに参加することに関する。様々な実施形態では、技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥネットワーク、ＧＳＭ（登録商標）ネットワーク、第５世代（５Ｇ）または新無線（ＮＲ）ネットワーク、および他の通信ネットワークのようなワイヤレス通信ネットワークに使用され得る。本明細書で説明される場合、「ネットワーク」および「システム」という用語は、交換して使用され得る。
【００２０】
[0028]ＯＦＤＭＡネットワークは、次世代ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ、等の無線技術をインプリメントし得る。ＵＴＲＡ、Ｅ−ＵＴＲＡ、およびモバイル通信のためのグローバルシステム（ＧＳＭ）は、ユニバーサルモバイル電気通信システム（ＵＭＴＳ）の一部である。特に、ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ（登録商標））と称する団体から提供された文書に記載されており、ｃｄｍａ２０００は、「第３世代パートナーシッププロジェクト２」（３ＧＰＰ２）と称する団体からの文書に記載されている。これらの様々な無線技術および規格は、既知であるかまたは開発中である。例えば、第３世代パートナーシッププロジェクト（３ＧＰＰ）は、グローバルに適用可能な第３世代（３Ｇ）モバイルフォン規格を定義することを目的とした、電気通信協会のグループ間のコラボレーションである。３ＧＰＰロングタームエボリューション（ＬＴＥ）は、ユニバーサルモバイル電気通信システム（ＵＭＴＳ）モバイルフォン規格を改善することを目的とした、３ＧＰＰプロジェクトである。３ＧＰＰは、次世代のモバイルネットワーク、モバイルシステム、およびモバイルデバイスのための規格を定義し得る。本開示は、新たな異なる無線アクセス技術または無線エアインターフェースの集合体を使用したネットワーク間のワイヤレススペクトルへの共有アクセスを伴う、ＬＴＥ、４Ｇ、５Ｇ、ＮＲ、およびそれ以降からのワイヤレス技術の進化に関係している。
【００２１】
[0029]特に、５Ｇネットワークは、ＯＦＤＭベースの統合されたエアインターフェースを使用してインプリメントされ得る、多様な展開、多様なスペクトル、ならびに多様なサービスおよびデバイスを企図する。これらの目標を達成するために、５Ｇ ＮＲネットワークのための新無線技術の開発に加えて、ＬＴＥおよびＬＴＥ−Ａへのさらなる拡張が考慮される。５Ｇ ＮＲは、（１）超高密度（例えば、約１Ｍノード／ｋｍ２）、超低複雑度（例えば、約数十ビット／秒）、超低エネルギ（例えば、約１０年以上のバッテリ寿命）、および困難な場所に到達する能力を有する深いカバレッジで大規模なモノのインターネット（ＩｏＴ）に、（２）これには機密性の高い個人情報、金融情報、または機密情報を保護するための強力なセキュリティ、超高信頼性（例えば、約９９．９９９９％の信頼性）、超低レイテンシ（例えば、約１ｍｓ）、および広範囲のモビリティを有するかそれが欠如したユーザを伴うミッションクリティカル制御が含まれる、そして（３）極度に高い容量（例えば、約１０Ｔｂｐｓ／ｋｍ２）、極度のデータレート（例えば、マルチＧｂｐｓレート、１００Ｍｂｐｓ以上のユーザエクスペリエンスレート）、および高度な発見と最適化による深い認識とを含む拡張モバイルブロードバンドで、カバレッジを提供するためにスケーリングが可能になるであろう。
【００２２】
[0030]５Ｇ ＮＲは、スケーラブルなヌメロロジおよび送信時間インターバル（ＴＴＩ）を有し、動的な低レイテンシ時分割複信（ＴＤＤ）／周波数分割複信（ＦＤＤ）設計を用いてサービスおよび特徴を効率的に多重化するための共通のフレキシブルなフレームワークを有し、マッシブ多入力多出力（ＭＩＭＯ）、ロバストミリメートル波（ミリ波）送信、アドバンスドチャネルコーディング、およびデバイス中心モビリティのような高度なワイヤレス技術を用いて、最適化されたＯＦＤＭベースの波形を使用するためにインプリメントされ得る。サブキャリア間隔のスケーリングを伴う５Ｇ ＮＲにおけるヌメロロジのスケーラビリティは、多様なスペクトルおよび多様な展開にわたって多様なサービスを動作させることに効率的に対処し得る。例えば、３ＧＨｚ未満のＦＤＤ／ＴＤＤインプリメンテーションの様々な屋外およびマクロカバレッジ展開では、サブキャリア間隔は、例えば、１、５、１０、２０ＭＨｚ、および同様の帯域幅にわたって１５ｋＨｚで生じ得る。３ＧＨｚより大きいＴＤＤの他の様々な屋外およびスモールセルカバレッジ展開の場合、サブキャリア間隔は、８０／１００ＭＨｚ帯域幅にわたって３０ｋＨｚで生じ得る。５ＧＨｚ帯域のアンライセンス部分にわたってＴＤＤを使用する他の様々な屋内の広帯域インプリメンテーションの場合、サブキャリア間隔は、１６０ＭＨｚ帯域幅にわたって６０ｋＨｚで生じ得る。最後に、２８ＧＨｚのＴＤＤにおいてミリ波構成要素を用いて送信する様々な展開の場合、サブキャリア間隔は、５００ＭＨｚ帯域幅にわたって１２０ｋＨｚで生じ得る。
【００２３】
[0031]５Ｇ ＮＲのスケーラブルなヌメロロジは、多様なレイテンシおよびサービス品質（ＱｏＳ）要件のためのスケーラブルなＴＴＩを容易にする。例えば、より短いＴＴＩは、低レイテンシおよび高信頼性のために使用され得、より長いＴＴＩは、より高いスペクトル効率のために使用され得る。送信がシンボル境界上で開始することを可能にするための、長いＴＴＩと短いＴＴＩとの効率的な多重化。５Ｇ ＮＲはまた、同じサブフレーム中にアップリンク／ダウンリンクスケジューリング情報、データ、および確認応答を有する自己完結型統合サブフレーム設計を企図する。自己完結型統合サブフレームは、現在のトラフィックニーズを満たすためにアップリンクとダウンリンクとの間で動的に切り替わるようにセル単位で柔軟に構成され得る、アンライセンスまたは競合ベースの共有スペクトルの、適応アップリンク／ダウンリンクにおける通信をサポートする。
【００２４】
[0032]本開示の様々な他の態様および特徴が、以下でさらに説明される。本明細書における教示が多種多様な形式で具現化され得ること、および本明細書に開示される任意の特定の構造、機能、またはその両方が単に代表的なものであり限定するものではないことは、明らかであるはずである。本明細書における教示に基づき、当業者は、本明細書で開示される態様が任意の他の態様から独立してインプリメントされ得ること、およびこれらの態様のうちの２つ以上が様々な方法で組み合わされ得ることを認識するべきである。例えば、本明細書に記載される任意の数の態様を使用して、装置がインプリメントされ得るか、または方法が実施され得る。加えて、本明細書に記載される態様のうちの１つまたは複数に加えてまたはそれ以外の他の構造、機能性、または、構造と機能性を使用して、そのような装置がインプリメントされ得るかまたはそのような方法が実施され得る。例えば、方法は、システム、デバイス、装置の一部として、および／またはプロセッサもしくはコンピュータ上での実行のためにコンピュータ読取可能な媒体上に記憶された命令としてインプリメントされ得る。さらに、態様は、請求項の少なくとも１つの要素を備え得る。
【００２５】
[0033]本出願は、ＵＥフィードバックに基づいてＭＰＥ制約を緩和するためのメカニズムを説明する。例えば、ＵＥは、様々な時刻（time instant）に、ＭＰＥ制約を満たす最大許容ＵＬ送信電力レベルを決定し、最大許容ＵＬ送信電力をＢＳに報告し得る。ＢＳは、ＵＥから収集された最大許容ＵＬ送信電力に基づいて、ＵＥに固有のＭＰＥプロファイルを追跡および決定し得る。ＭＰＥプロファイルは、ＵＥのＵＬ送信電力の長期的なビューまたは統計値を提供する。ＢＳは、このように蓄積された長期的な統計値に基づいて、ＵＥのためのＵＬ送信構成を決定し得る。ＵＬ送信構成は、ビームインデックス、ＵＬ送信電力パラメータ、またはＵＥに割り当てられたリソース割振りのうちの少なくとも１つを含むことができる。ＵＬ送信構成を受信すると、ＵＥは、ビームインデックスに基づいて指向性ビームを生成し、この指向性ビームを使用してＵＬ通信信号を送信することができる。ＵＥは、ＵＬ送信電力パラメータに基づいて送信電力を構成し得る。ＵＥは、割当てにおいて示されるリソースを使用してＵＬ通信信号を送信し得る。
【００２６】
[0034]いくつかの実施形態では、ＵＥは、瞬間ＭＰＥ違反を監視し得る。瞬間ＭＰＥ違反を検出すると、ＵＥは、瞬間ＭＰＥ違反をＢＳに報告し得る。それに応答して、ＢＳは、ある期間にわたってＭＰＥ制約を満たすために時間的および／または空間的に瞬間ＭＰＥ違反を平均化し、それに応じて後続のＵＬ送信構成を更新し得る。
【００２７】
[0035]いくつかの実施形態では、ＵＥは、最大許容ＵＬ送信電力を複数のＢＳ（例えば、サービングＢＳおよび１つまたは複数の隣接ＢＳ）に報告し得る。ＢＳは、最大許容ＵＬ送信電力報告に基づいてＵＥのためのデバイス固有ＭＰＥプロファイルを、および／または、複数のＵＥから収集された最大許容ＵＬ送信電力報告に基づいてネットワークレベルデバイス固有ＭＰＥプロファイルを決定するために互いに協調し得る。ＢＳは、デバイス固有ＭＰＥプロファイルおよび／またはネットワークレベルデバイス固有ＭＰＥプロファイルに基づいてＵＥのためのＵＬ送信構成を決定するために互いに協調し得る。
【００２８】
[0036]本出願の態様は、いくつかの利益を提供することができる。例えば、最大許容ＵＬ送信電力のＵＥフィードバックは、ＵＥより多くの計算および記憶能力を有し得るＢＳが、ＵＥのＵＬ送信電力の履歴を追跡することを可能にすることができる。ＢＳは、特定の瞬間電力報告（例えば、ＰＨＲ）に基づいてではなく、ある時間期間にわたる統計情報（例えば、ＭＰＥプロファイル）に基づいてＵＥのためのＵＬ送信構成を決定することができるため、過度に保守的なビームインデックス、ＵＬ送信電力パラメータ、および／またはリソース割振りを選択することを回避し得る。ＵＥによる瞬間ＭＰＥ違反の報告により、ＢＳは、過度に保守的なＵＬ送信構成を決定するのではなく、ある期間にわたる瞬間ＭＰＥ違反を平均化することができる。このように、開示される実施形態は、ＭＰＥ制約を緩和し、ＵＬ送信性能を改善することができる。
【００２９】
[0037]図１は、本開示のいくつかの実施形態に係る、ワイヤレス通信ネットワーク１００を例示する。ネットワーク１００は、５Ｇネットワークであり得る。ネットワーク１００は、いくつかの基地局（ＢＳ）１０５および他のネットワークエンティティを含む。ＢＳ１０５は、ＵＥ１１５と通信する局であり得、発展型ノードＢ（ｅＮＢ）、次世代ＮＢ（ｇＮＢ）、アクセスポイント、等とも呼ばれ得る。各ＢＳ１０５は、特定の地理的エリアに通信カバレッジを提供し得る。３ＧＰＰでは、「セル」という用語は、この用語が使用される文脈に応じて、ＢＳ１０５のこの特定の地理的カバレッジエリア、および／または、このカバレッジエリアにサービス提供するＢＳサブシステムを指し得る。
【００３０】
[0038]ＢＳ１０５は、マクロセル、またはピコセルもしくはフェムトセルのようなスモールセル、および／または他のタイプのセルに通信カバレッジを提供し得る。マクロセルは一般に、比較的広い地理的エリア（例えば、半径数キロメートル）をカバーし、ネットワークプロバイダにサービス加入しているＵＥによる無制限のアクセスを可能にし得る。ピコセルのようなスモールセルは一般に、比較的狭い地理的エリアをカバーし、ネットワークプロバイダにサービス加入しているＵＥによる無制限のアクセスを可能にし得る。フェムトセルのようなスモールセルも一般に、比較的狭い地理的エリア（例えば、家）をカバーし、無制限のアクセスに加えて、このフェムトセルと関連があるＵＥ（例えば、クローズド加入者グループ（ＣＳＧ）のＵＥ、家の中にいるユーザのＵＥ、等）による制限付のアクセスも提供し得る。マクロセルのためのＢＳは、マクロＢＳと呼ばれ得る。スモールセルのためのＢＳは、スモールセルＢＳ、ピコＢＳ、フェムトＢＳ、またはホームＢＳと呼ばれ得る。図１に示される例では、ＢＳ１０５ｄおよび１０５ｅは、通常のマクロＢＳであり得、ＢＳ１０５ａ〜１０５ｃは、三次元（３Ｄ）、全次元（ＦＤ）、またはマッシブＭＩＭＯのうちの１つでイネーブルにされるマクロＢＳであり得る。ＢＳ１０５ａ〜１０５ｃは、仰角ビームフォーミングと方位角ビームフォーミングの両方で３Ｄビームフォーミングを活用してカバレッジおよび容量を増加させるために、それらの高次元ＭＩＭＯ能力を利用し得る。ＢＳ１０５ｆは、ホームノードまたはポータブルアクセスポイントであり得るスモールセルＢＳであり得る。ＢＳ１０５は、１つまたは複数（例えば、２つ、３つ、４つ、等）のセルをサポートし得る。
【００３１】
[0039]ネットワーク１００は、同期動作または非同期動作をサポートし得る。同期動作の場合、ＢＳは、同様のフレームタイミングを有し得、異なるＢＳからの送信は、時間的におおまかにアラインされ得る。非同期動作の場合、ＢＳは、異なるフレームタイミングを有し得、異なるＢＳからの送信は、時間的にアラインされないであろう。
【００３２】
[0040]ＵＥ１１５は、ワイヤレスネットワーク１００中に分散しており、各ＵＥ１１５は、据置型または可動式であり得る。ＵＥ１１５は、端末、モバイル局、加入者ユニット、局、等とも呼ばれ得る。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、等であり得る。一態様では、ＵＥ１１５は、ユニバーサル集積回路カード（ＵＩＣＣ）を含むデバイスであり得る。別の態様では、ＵＥは、ＵＩＣＣを含まないデバイスであり得る。いくつかの態様では、ＵＩＣＣを含まないＵＥ１１５は、ＩｏＥ（internet of everything）デバイスとも呼ばれ得る。ＵＥ１１５ａ〜１１５ｄは、ネットワーク１００にアクセスするモバイルスマートフォンタイプデバイスの例である。ＵＥ１１５はまた、マシンタイプ通信（ＭＴＣ）、拡張ＭＴＣ（ｅＭＴＣ）、狭帯域ＩｏＴ（ＮＢ−ＩｏＴ）、等を含む、接続された通信のために特に構成されたマシンであり得る。ＵＥ１１５ｅ〜１１５ｋは、ネットワーク１００にアクセスする通信のために構成された様々なマシンの例である。ＵＥ１１５は、マクロＢＳ、スモールセル、等にかかわらず、任意のタイプのＢＳと通信することが可能であり得る。図１では、稲妻（例えば、通信リンク）は、ダウンリンクおよび／またはアップリンク上でＵＥ１１５にサービス提供するように指定されたＢＳであるサービングＢＳ１０５とＵＥ１１５との間のワイヤレス送信、またはＢＳ間の所望の送信、ならびにＢＳ間のバックホール送信を示す。
【００３３】
[0041]動作中、ＢＳ１０５ａ〜１０５ｃは、３Ｄビームフォーミングと、協調マルチポイント（ＣｏＭＰ）またはマルチ接続性のような協調空間技法とを使用してＵＥ１１５ａおよび１１５ｂにサービス提供し得る。マクロＢＳ１０５ｄは、ＢＳ１０５ａ〜１０５ｃおよびスモールセルＢＳ１０５ｆとのバックホール通信を実行し得る。マクロＢＳ１０５ｄはまた、ＵＥ１１５ｃおよび１１５ｄが加入し、それらによって受信されるマルチキャストサービスを送信し得る。そのようなマルチキャストサービスは、モバイルテレビまたはストリームビデオを含み得るか、アンバーアラートもしくはグレーアラートのようなアラートまたは気象緊急事態といったコミュニティ情報を提供するための他のサービスを含み得る。
【００３４】
[0042]ネットワーク１００はまた、ドローンであり得るＵＥ１１５ｅのようなミッションクリティカルデバイスのための超高信頼性および冗長リンクとのミッションクリティカル通信をサポートし得る。ＵＥ１１５ｅとの冗長通信リンクは、マクロＢＳ１０５ｄおよび１０５ｅからのリンクに加えスモールセルＢＳ１０５ｆからのリンクを含み得る。ＵＥ１１５ｆ（例えば、温度計）、ＵＥ１１５ｇ（例えば、スマートメータ）、およびＵＥ１１５ｈ（例えば、ウェアラブルデバイス）のような他のマシンタイプデバイスは、ネットワーク１００を通して、スモールセルＢＳ１０５ｆおよびマクロＢＳ１０５ｅのようなＢＳと直接通信するか、または、例えば、温度測定情報、これは次いでスモールセルＢＳ１０５ｆを通してネットワークに報告される、をスマートメータＵＥ１１５ｇに通信するＵＥ１１５ｆのような、情報をネットワークに中継する別のユーザデバイスと通信することによってマルチホップ構成で通信し得る。ネットワーク１００はまた、例えば車両間（Ｖ２Ｖ）において、動的な低レイテンシＴＤＤ／ＦＤＤ通信を通して追加のネットワーク効率を提供し得る。
【００３５】
[0043]いくつかのインプリメンテーションでは、ネットワーク１００は、通信のためにＯＦＤＭベースの波形を利用する。ＯＦＤＭベースのシステムは、システム帯域幅を、一般にサブキャリア、トーン、ビン、等とも呼ばれる複数（Ｋ）個の直交サブキャリアに分割し得る。各サブキャリアは、データで変調され得る。いくつかの事例では、隣接したサブキャリア間のサブキャリア間隔は固定であり得、サブキャリアの総数（Ｋ）はシステム帯域幅に依存し得る。システム帯域幅はまた、サブバンドに分割され得る。他の事例では、サブキャリア間隔および／またはＴＴＩの持続時間はスケーラブルであり得る。
【００３６】
[0044]ある実施形態では、ＢＳ１０５は、ネットワーク１００におけるＤＬおよびＵＬ送信のために送信リソースを（例えば、時間周波数リソースブロック（ＲＢ）の形式で）割り当てるかまたはスケジューリングすることができる。ＤＬは、ＢＳ１０５からＵＥ１１５への送信方向を指し、ＵＬは、ＵＥ１１５からＢＳ１０５への送信方向を指す。通信は、無線フレームの形式であり得る。無線フレームは、複数、例えば約１０個、のサブフレームに分割され得る。各サブフレームは、複数、例えば約２つ、スロットに分割され得る。各スロットは、ミニスロットにさらに分割され得る。周波数分割複信（ＦＤＤ）モードでは、同時のＵＬおよびＤＬ送信が異なる周波数帯域に生じ得る。例えば、各サブフレームは、ＵＬ周波数帯域中のＵＬサブフレームと、ＤＬ周波数帯域中のＤＬサブフレームとを含む。時分割複信（ＴＤＤ）モードでは、ＵＬおよびＤＬ送信は、同じ周波数帯域を使用して異なる時間期間に生じる。例えば、無線フレーム中のサブフレームのサブセット（例えば、ＤＬサブフレーム）がＤＬ送信に使用され得、無線フレーム中のサブフレームの別のサブセット（例えば、ＵＬサブフレーム）がＵＬ送信に使用され得る。
【００３７】
[0045]ＤＬサブフレームおよびＵＬサブフレームは、いくつかの領域にさらに分割され得る。例えば、各ＤＬまたはＵＬサブフレームは、基準信号、制御情報、およびデータの送信のためのあらかじめ定義された領域を有し得る。基準信号は、ＢＳ１０５とＵＥ１１５との間の通信を容易にする所定の信号である。例えば、基準信号は、特定のパイロットパターンまたは構造を有することができ、ここで、パイロットトーンは、動作帯域幅または周波数帯域にわたって広がり得、各々が、あらかじめ定義された時間およびあらかじめ定義された周波数に位置する。例えば、ＢＳ１０５は、ＵＥ１１５がＤＬチャネルを推定することを可能にするために、セル固有基準信号（ＣＲＳ）および／またはチャネル状態情報−基準信号（ＣＳＩ−ＲＳ）を送信し得る。同様に、ＵＥ１１５は、ＢＳ１０５がＵＬチャネルを推定することを可能にするために、サウンディング基準信号（ＳＲＳ）を送信し得る。制御情報は、リソース割当ておよびプロトコル制御を含み得る。データは、プロトコルデータおよび／または動作データを含み得る。いくつかの実施形態では、ＢＳ１０５およびＵＥ１１５は、自己完結型サブフレームを使用して通信し得る。自己完結型サブフレームは、ＤＬ通信のための部分とＵＬ通信のための部分とを含み得る。自己完結型サブフレームは、ＤＬ中心またはＵＬ中心であり得る。ＤＬ中心サブフレームは、ＵＬ通信より長い持続時間をＤＬ通信のために含み得る。ＵＬ中心サブフレームは、ＵＬ通信より長い持続時間をＵＬ通信のために含み得る。
【００３８】
[0046]ある実施形態では、ネットワーク１００は、ライセンススペクトルにわたって展開されたＮＲネットワークであり得る。ＢＳ１０５は、同期を容易にするために、ネットワーク１００において（例えば、プライマリ同期信号（ＰＳＳ）とセカンダリ同期信号（ＳＳＳ）とを含む）同期信号を送信することができる。ＢＳ１０５は、初期ネットワークアクセスを容易にするために、（例えば、マスタ情報ブロック（ＭＩＢ）、残存最小システム情報（ＲＭＳＩ）、および他のシステム情報（ＯＳＩ）を含む）ネットワーク１００に関連するシステム情報をブロードキャストすることができる。いくつかの事例では、ＢＳ１０５は、同期信号ブロック（ＳＳＢ）の形式で、ＰＳＳ、ＳＳＳ、ＭＩＢ、ＲＭＳＩ、および／またはＯＳＩをブロードキャストし得る。
【００３９】
[0047]ある実施形態では、ネットワーク１００にアクセスしようと試みるＵＥ１１５は、ＢＳ１０５からのＰＳＳを検出することによって初期セル探索を実行し得る。ＰＳＳは、周期タイミングの同期を可能にし得、物理レイヤ識別情報値を示し得る。次いで、ＵＥ１１５は、ＳＳＳを受信し得る。ＳＳＳは、無線フレーム同期を可能にし得、セルを識別するために物理レイヤ識別情報値と組み合わせられ得るセル識別情報値を提供し得る。ＳＳＳはまた、複信モードおよびサイクリックプレフィックス長の検出を可能にし得る。ＴＤＤシステムのようないくつかのシステムは、ＳＳＳは送信するがＰＳＳは送信しないであろう。ＰＳＳおよびＳＳＳは両方とも、それぞれ、キャリアの中央部分に位置し得る。
【００４０】
[0048]ＰＳＳおよびＳＳＳを受信した後、ＵＥ１１５は、物理ブロードキャストチャネル（ＰＢＣＨ）において送信され得るＭＩＢを受信し得る。ＭＩＢは、初期ネットワークアクセスのためのシステム情報と、ＲＭＳＩおよび／またはＯＳＩのためのスケジューリング情報とを含み得る。ＭＩＢを復号した後、ＵＥ１１５は、ＲＭＳＩおよび／またはＯＳＩを受信し得る。ＲＭＳＩおよび／またはＯＳＩは、ランダムアクセスチャネル（ＲＡＣＨ）プロシージャ、ページング、物理アップリンク制御チャネル（ＰＵＣＣＨ）、物理アップリンク共有チャネル（ＰＵＳＣＨ）、電力制御、ＳＲＳ、およびセルバーリング（cell barring）に関する無線リソース構成（ＲＲＣ）構成情報を含み得る。ＭＩＢおよび／またはＳＩＢを取得した後、ＵＥ１１５は、ＢＳ１０５との接続を確立するためにランダムアクセスプロシージャを実行することができる。
【００４１】
[0049]接続を確立した後、ＵＥ１１５およびＢＳ１０５は、通常動作段階または定常状態に入ることができ、そこでは、動作データが交換され得る。例えば、ＢＳ１０５は、ＵＥ１１５のためのＵＬ送信許可および／またはＤＬ送信許可を発行することによって、ＵＬおよび／またはＤＬ送信をスケジューリングし得る。その後、ＢＳ１０５およびＵＥ１１５は、この発行された許可に基づいて通信し得る。
【００４２】
[0050]ある実施形態では、ネットワーク１００は、ＵＬ電力制御をサポートし得る。例えば、定常状態中、ＵＥ１１５は、電力ヘッドルーム報告（ＰＨＲ）をＢＳ１０５に送信し得る。各ＰＨＲは、ＰＵＳＣＨ送信のためにＵＥ１１５によって使用される現在の送信電力と、ＵＥ１１５において利用可能な最大送信電力との間のヘッドルームの量を示し得る。正の値のＰＨＲは、ＵＥ１１５が現在の送信電力より高い電力を使用してより多くのデータを送信することができることを示し得、負の値のＰＨＲは、ＵＥ１１５がすでに、許容限度（例えば、最大送信電力）を超えて送信していることを示し得る。ＢＳ１０５は、ＰＨＲに基づいてＵＥ１１５のためのＵＬリソースを割り振り得る。例えば、ＰＨＲが高いほど、ＵＥ１１５に割り振られることができるＵＬリソース（例えば、ＲＢ）は多くなる。ＰＨＲは、ＵＬ電力制御を容易にすることができ、ＵＥ１１５の電力ヘッドルームにしたがってＢＳ１０５がＵＬリソースを割り振ることを可能にすることができるが、ＰＨＲは、ＵＥ１１５の現在のＰＵＳＣＨ送信の瞬間的なビューしか提供することができない。したがって、ＰＨＲベースの電力制御は、より保守的なＵＬ送信構成をもたらし得、故に準最適であり得る。
【００４３】
[0051]ある実施形態では、ネットワーク１００は、ミリ波周波数帯域で動作し得る。ＢＳ１０５およびＵＥ１１５は、アンテナアレイを含み得、通信のための指向性ビームを形成するためにアナログビームフォーミングおよび／またはデジタルビームフォーミングを使用し得る。ＦＣＣおよびＩＣＮＩＲＰのような規制機関（regulator）によって定められるＭＰＥ制限を満たすために、ＵＥ１１５は、様々な時刻における、ＵＥ１１５のアンテナからＵＥ１１５のユーザの身体部分（例えば、手）までの距離の検出に基づいて、最大許容ＵＬ送信電力を決定し得る。ＵＥ１１５は、決定された最大許容ＵＬ送信電力をサービングＢＳ１０５に報告またはフィードバックし得る。ＢＳ１０５は、フィードバックに基づいてＵＥ１１５のためのＭＰＥプロファイル（例えば、長期履歴または統計情報）を決定し、ＭＰＥプロファイルに基づいてＵＥ１１５のためのＵＬ送信構成を決定し得る。いくつかの実施形態では、ＵＥ１１５は、協調している複数のＢＳ１０５（例えば、サービングＢＳ１０５および１つまたは複数の近隣ＢＳ１０５）にフィードバックを提供し得る。これらの協調しているＢＳ１０５は、ＭＰＥ制約を満たすようにＵＥ１１５のためのＵＬ送信構成を共同で決定し得る。ＵＥ１１５からのフィードバックおよびＢＳ１０５からのネットワーク支援に基づいてＭＰＥ制約を満たすためのメカニズムが本明細書でより詳細に説明される。
【００４４】
[0052]図２は、本開示の実施形態に係る、例示的なＵＥ２００のブロック図である。ＵＥ２００は、上で説明したＵＥ１１５であり得る。示されるように、ＵＥ２００は、プロセッサ２０２と、メモリ２０４と、ＭＰＥコンプライアンスモジュール２０８と、モデムサブシステム２１２および無線周波数（ＲＦ）ユニット２１４を含むトランシーバ２１０と、１つまたは複数のアンテナ２１６とを含み得る。これらの要素は、例えば、１つまたは複数のバスを介して、互いに直接的にまたは間接的に通信し得る。
【００４５】
[0053]プロセッサ２０２は、中央処理装置（ＣＰＵ）、デジタルシグナルプロセッサ（ＤＳＰ）、特定用途向け集積回路（ＡＳＩＣ）、コントローラ、フィールドプログラマブルゲートアレイ（ＦＰＧＡ）デバイス、別のハードウェアデバイス、ファームウェアデバイス、または本明細書で説明する動作を実行するように構成されたそれらの任意の組合せを含み得る。プロセッサ２０２はまた、コンピューティングデバイスの組合せ、例えば、ＤＳＰと、１つのマイクロプロセッサ、複数のマイクロプロセッサ、ＤＳＰコアに連結した１つまたは複数のマイクロプロセッサ、または任意の他のそのような構成との組合せとしてインプリメントされ得る。
【００４６】
[0054]メモリ２０４は、キャッシュメモリ（例えば、プロセッサ２０２のキャッシュメモリ）、ランダムアクセスメモリ（ＲＡＭ）、磁気抵抗ＲＡＭ（ＭＲＡＭ）、読取り専用メモリ（ＲＯＭ）、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ（登録商標））、フラッシュメモリ、ソリッドステートメモリデバイス、ハードディスクドライブ、他の形式の揮発性および不揮発性メモリ、または異なるタイプのメモリの組合せを含み得る。ある実施形態では、メモリ２０４は、非一時的なコンピュータ読取可能な媒体を含む。メモリ２０４は、命令２０６を記憶し得る。命令２０６は、プロセッサ２０２によって実行されると、本開示の実施形態に関連してＵＥ１１５を参照して本明細書で説明した動作、例えば、図４〜９の態様、を実行することをプロセッサ２０２に行わせる命令を含み得る。命令２０６は、コードとも呼ばれ得る。「命令」および「コード」という用語は、任意のタイプのコンピュータ読取可能なステートメントを含むように広く解釈されるべきである。例えば、「命令」および「コード」という用語は、１つまたは複数のプログラム、ルーチン、サブルーチン、関数、プロシージャ、等を指し得る。「命令」および「コード」は、単一のコンピュータ読取可能なステートメントまたは多数のコンピュータ読取可能なステートメントを含み得る。
【００４７】
[0055]ＭＰＥコンプライアンスモジュール２０８は、ハードウェア、ソフトウェア、またはそれらの組合せを介してインプリメントされ得る。例えば、ＭＰＥコンプライアンスモジュール２０８は、プロセッサ、回路、および／またはメモリ２０４に記憶され、プロセッサ２０２によって実行される命令２０６としてインプリメントされ得る。ＭＰＥコンプライアンスモジュール２０８は、本開示の様々な態様、例えば、図４〜９の態様のために使用され得る。例えば、ＭＰＥコンプライアンスモジュール２０８は、本明細書でより詳細に説明するように、様々な時刻にアンテナ２１６からＵＥ２００のユーザの身体部分までの距離を検出し、検出された距離に対するＭＰＥ制約を満たす最大許容ＵＬ送信電力を決定し、最大許容ＵＬ送信電力を１つまたは複数のＢＳ（例えば、ＢＳ１０５）に報告し、ＵＬ送信構成をＢＳから受信し、受信されたＵＬ送信構成に基づいてＵＬ通信信号を送信し、および／または瞬間ＭＰＥ違反を報告するように構成される。
【００４８】
[0056]示されるように、トランシーバ２１０は、モデムサブシステム２１２とＲＦユニット２１４とを含み得る。トランシーバ２１０は、ＢＳ１０５のような他のデバイスと双方向に通信するように構成され得る。モデムサブシステム２１２は、例えば、低密度パリティチェック（ＬＤＰＣ）コーディング方式、ターボコーディング方式、畳込みコーディング方式、デジタルビームフォーミング方式、等の変調およびコーディング方式（ＭＣＳ）にしたがって、メモリ２０４および／またはＭＰＥコンプライアンスモジュール２０８からのデータを変調および／または符号化するように構成され得る。ＲＦユニット２１４は、（アウトバウンド送信上で）モデムサブシステム２１２からの変調／符号化されたデータまたはＵＥ１１５もしくはＢＳ１０５のような別のソースから発信された送信の変調／符号化されたデータを処理する（例えば、アナログデジタル変換またはデジタルアナログ変換、等を実行する）ように構成され得る。ＲＦユニット２１４は、デジタルビームフォーミングと同時にアナログビームフォーミングを実行するようにさらに構成され得る。トランシーバ２１０に統合されているように示されているが、モデムサブシステム２１２およびＲＦユニット２１４は、ＵＥ１１５が他のデバイスと通信することを可能にするためにＵＥ１１５において互いに結合される別個のデバイスであり得る。
【００４９】
[0057]ＲＦユニット２１４は、１つまたは複数の他のデバイスへの送信のために、変調および／または処理されたデータ、例えば、データパケット（または、より一般的には、１つまたは複数のデータパケットおよび他の情報を含み得るデータメッセージ）をアンテナ２１６に提供し得る。これは、例えば、本開示の実施形態にしたがった１つまたは複数のＢＳへの最大許容ＵＬ送信電力報告の送信を含み得る。アンテナ２１６はさらに、他のデバイスから送信されるデータメッセージを受信し得る。これは、例えば、本開示の実施形態にしたがった１つまたは複数のＢＳからのＵＬ送信構成の受信を含み得る。アンテナ２１６は、トランシーバ２１０における処理および／または復調のために、受信されたデータメッセージを提供し得る。アンテナ２１６は、複数の送信リンクを維持するために、同様のまたは異なる設計の複数のアンテナを含み得る。ＲＦユニット２１４は、アンテナ２１６を構成し得る。
【００５０】
[0058]図３は、本開示の実施形態に係る、例示的なＢＳ３００のブロック図である。ＢＳ３００は、上で説明したＢＳ１０５であり得る。示されるように、ＢＳ３００は、プロセッサ３０２と、メモリ３０４と、ＭＰＥコンプライアンスモジュール３０８と、モデムサブシステム３１２およびＲＦユニット３１４を含むトランシーバ３１０と、１つまたは複数のアンテナ３１６とを含み得る。これらの要素は、例えば、１つまたは複数のバスを介して、互いに直接的にまたは間接的に通信し得る。
【００５１】
[0059]プロセッサ３０２は、特定タイプのプロセッサとして様々な特徴を有し得る。例えば、これらは、ＣＰＵ、ＤＳＰ、ＡＳＩＣ、コントローラ、ＦＰＧＡデバイス、別のハードウェアデバイス、ファームウェアデバイス、または本明細書で説明する動作を実行するように構成されたそれらの任意の組合せを含み得る。プロセッサ３０２はまた、コンピューティングデバイスの組合せ、例えば、ＤＳＰと、１つのマイクロプロセッサ、複数のマイクロプロセッサ、ＤＳＰコアに連結した１つまたは複数のマイクロプロセッサ、または任意の他のそのような構成との組合せとしてインプリメントされ得る。
【００５２】
[0060]メモリ３０４は、キャッシュメモリ（例えば、プロセッサ３０２のキャッシュメモリ）、ＲＡＭ、ＭＲＡＭ、ＲＯＭ、ＰＲＯＭ、ＥＰＲＯＭ、ＥＥＰＲＯＭ、フラッシュメモリ、ソリッドステートメモリデバイス、１つまたは複数のハードディスクドライブ、メモリスタベースのアレイ、他の形式の揮発性および不揮発性メモリ、または異なるタイプのメモリの組合せを含み得る。いくつかの実施形態では、メモリ３０４は、非一時的なコンピュータ読取可能な媒体を含み得る。メモリ３０４は、命令３０６を記憶し得る。命令３０６は、プロセッサ３０２によって実行されると、本明細書で説明する動作、例えば、図４〜９の態様、を実行することをプロセッサ３０２に行わせる命令を含み得る。命令３０６は、コードとも呼ばれ得、これは、図２に関して上で説明した任意のタイプのコンピュータ読取可能なステートメントを含むように広く解釈され得る。
【００５３】
[0061]ＭＰＥコンプライアンスモジュール３０８は、ハードウェア、ソフトウェア、またはそれらの組合せを介してインプリメントされ得る。例えば、ＭＰＥコンプライアンスモジュール３０８は、プロセッサ、回路、および／またはメモリ３０４に記憶され、プロセッサ３０２によって実行される命令３０６としてインプリメントされ得る。ＭＰＥコンプライアンスモジュール３０８は、本開示の様々な態様、例えば、図４〜９の態様のために使用され得る。例えば、ＭＰＥコンプライアンスモジュール３０８は、本明細書でより詳細に説明するように、ＭＰＥ制約を満たす最大許容ＵＬ送信電力の報告をＵＥ（例えば、ＵＥ１１５）から受信し、この報告に基づいて、対応するＵＥの送信に関連する統計情報（例えば、ＭＰＥプロファイル）を維持および追跡し、統計情報に基づいてＵＥのためのＵＬ送信構成を決定し、瞬間ＭＰＥ違反報告をＵＥから受信し、および／または受信された瞬間ＭＰＥ報告に基づいてＵＥのためのＵＬ送信構成を調整するように構成される。
【００５４】
[0062]示されるように、トランシーバ３１０は、モデムサブシステム３１２とＲＦユニット３１４とを含み得る。トランシーバ３１０は、ＵＥ１１５および／または別のコアネットワーク要素のような他のデバイスと双方向に通信するように構成され得る。モデムサブシステム３１２は、例えば、ＬＤＰＣコーディング方式、ターボコーディング方式、畳込みコーディング方式、デジタルビームフォーミング方式、等のＭＣＳにしたがって、データを変調および／または符号化するように構成され得る。ＲＦユニット３１４は、（アウトバウンド送信上で）モデムサブシステム３１２からの変調／符号化されたデータまたはＵＥ１１５もしくは２００のような別のソースから発信された送信の変調／符号化されたデータを処理する（例えば、アナログデジタル変換またはデジタルアナログ変換、等を実行する）ように構成され得る。ＲＦユニット３１４は、デジタルビームフォーミングと同時にアナログビームフォーミングを実行するようにさらに構成され得る。トランシーバ３１０に統合されているように示されているが、モデムサブシステム３１２およびＲＦユニット３１４は、ＢＳ１０５が他のデバイスと通信することを可能にするためにＢＳ１０５において互いに結合される別個のデバイスであり得る。
【００５５】
[0063]ＲＦユニット３１４は、１つまたは複数の他のデバイスへの送信のために、変調および／または処理されたデータ、例えば、データパケット（または、より一般的には、１つまたは複数のデータパケットおよび他の情報を含み得るデータメッセージ）をアンテナ３１６に提供し得る。これは、例えば、本開示の実施形態にしたがったＵＥへのＵＬ送信構成の送信を含み得る。アンテナ３１６はさらに、他のデバイスから送信されるデータメッセージを受信し、トランシーバ３１０における処理および／または復調のために、受信されたデータメッセージを提供し得る。これは、例えば、本開示の実施形態にしたがったＵＥからの最大許容ＵＬ送信電力報告の受信を含み得る。アンテナ３１６は、複数の送信リンクを維持するために、同様のまたは異なる設計の複数のアンテナを含み得る。
【００５６】
[0064]図４は、本開示のいくつかの実施形態に係る、ＭＰＥコンプライアンスのための通信方法４００のシグナリング図である。方法４００は、ネットワーク（例えば、ネットワーク１００）内のＢＳ（例えば、ＢＳ１０５および３００）ならびにＵＥ（例えば、ＵＥ１１５および２００）によってインプリメントされる。方法４００のステップは、ＢＳおよびＵＥのコンピューティングデバイス（例えば、プロセッサ、処理回路、および／または他の適切な構成要素）によって実行され得る。例示されるように、方法４００は、いくつかの列挙されたステップを含むが、方法４００の実施形態は、列挙されたステップの前、後、および合間に追加のステップを含み得る。いくつかの実施形態では、列挙されたステップのうちの１つまたは複数は、省略され得るか、または異なる順序で実行され得る。
【００５７】
[0065]ステップ４１０において、ＵＥは、例えば、トレーニング期間４０２内のｔ（１）と表される第１の時刻に、第１の最大許容ＵＬ送信電力報告を送信する。第１の最大許容ＵＬ送信電力報告は、ＭＰＥ制約を満たしつつＵＥが送信することができる最大許容ＵＬ送信電力を示す。
【００５８】
[0066]最大許容ＵＬ送信電力を決定するために、ＵＥは、ＵＥのアンテナ（例えば、アンテナ２１６）を介して検出信号を送信し得る。ＵＥは、検出信号の送信を、その送信が発生させるネットワークへのＵＬ干渉がごくわずかな量となるように、構成し得る。ＵＥは、未使用のまたは利用可能なＵＬリソースを使用して検出信号を送信し得る。検出信号を送信した後、ＵＥは、この検出信号に基づいて、アンテナからＵＥのユーザの身体部分（例えば、手）までの距離を検出し得る。例えば、ＵＥは、検出のためにアンテナの近くに位置するセンサまたはＲＦ回路を含み得る。この検出には、近距離場検出技法または遠距離場検出技法が使用され得る。ＵＥは、規制機関（例えば、ＦＣＣおよび／またはＩＣＮＩＲＰ）によって課された特定のＭＰＥ規則に基づいて、検出された距離に対するＭＰＥ制約を決定し得る。ＭＰＥ制約を決定した後、ＵＥは、ＭＰＥ制約を満たしつつＵＥが送信することができる最大許容ＵＬ送信電力を決定することができる。例えば、ＵＥは、ＭＰＥ制約が満たされるまで、ＵＬ送信電力をバックオフまたは低減することができる。
【００５９】
[0067]いくつかの実施形態では、ＭＰＥ規則は、アンテナから身体部分までの距離の関数としての許容電力密度のルックアップテーブルまたはチャートの形式であり得る。例えば、ＵＥは、身体部分から約１０ミリメートル（ｍｍ）の距離では約１２デシベルミリワット（ｄＢｍ）で、身体部分から約５ｍｍの距離では約１０ｄＢｍで送信することができ得る。
【００６０】
[0068]トレーニング期間４０２は、例えば、特定のワイヤレス通信規格またはプロトコルにしたがってあらかじめ定められているであろう。代替的に、トレーニング期間４０２は、ネットワークプロトコルとして自律的にまたは１つまたは複数のＵＥのフィードバックに基づいて、ＢＳによって構成され得る。特に、トレーニング期間４０２は、ＵＥによって決定され得る。トレーニング期間４０２は、任意の適切な持続時間を含み得る。トレーニング期間４０２は、固定の持続時間または可変の持続時間を含むことができる。トレーニング期間４０２は、ＵＥが報告を送信するための周期的なシンボル割振りまたは非周期的なシンボル割振りを含むことができる。いくつかの実施形態では、トレーニング期間４０２は、約１００個のサブフレーム（例えば、約１００ミリ秒（ｍｓ））を含むことができる。いくつかの実施形態では、トレーニング期間４０２は、ＵＥのロケーションに応じて変動し得る。例えば、トレーニング期間４０２は、ＵＥがセルエッジに位置しているかＢＳに近接しているかに応じて、それぞれ、増加または減少され得る。
【００６１】
[0069]ＵＥは、トレーニング期間４０２の持続時間にわたって１つまたは複数の最大許容ＵＬ送信電力報告を送信し得る。例えば、ステップ４２０において、ＵＥは、例えば、トレーニング期間４０２内のｔ（Ｎ）と表される第Ｎの時刻に、最大許容ＵＬ送信電力を示す第Ｎの最大許容ＵＬ送信電力報告を送信する。いくつかの実施形態では、ＵＥは、特定の時点に（例えば、ｔ（１），ｔ（２），．．．，およびｔ（３）において）最大許容ＵＬ電力報告を送信するように構成され得る。例えば、ＢＳは、時点ｔ（１）〜ｔ（Ｎ）における報告機会およびトレーニング期間４０２を示す報告構成を送信し得る。
【００６２】
[0070]最大許容ＵＬ送信電力は、ＵＥのユーザに対するＵＥのアンテナ、ＵＥのアンテナサブアレイ、および／またはＵＥのアンテナモジュールの位置の変化によって変動し得る。例えば、ユーザは、ある時刻にはＵＥを横向きで、別の時刻にはＵＥを縦向きで保持し得る。いくつかの事例では、ユーザは、ＵＥが耳の近くにある状態の呼モードにあり得る。いくつかの事例では、ユーザは、ユーザと接触していないロケーションに、例えば、映画を見ている間スタンドまたはホルダに、ＵＥを置き得る。いくつかの例では、皮膚表面に沿ったユーザの身体組織プロファイルは、ＭＰＥコンプライアンスを実質的に変え得る近距離場変動をもたらし得るため、最大許容ＵＬ送信電力は、ユーザ依存であり得る。
【００６３】
[0071]ステップ４３０において、ＢＳは、ＵＥのためのＭＰＥプロファイルを決定する。例えば、ＢＳは、トレーニング期間４０２にわたって受信された最大許容ＵＬ送信電力報告および／またはＵＥからの以前のＵＬ送信に基づいて、ＵＥに関連する統計情報を収集し得る。ＭＰＥプロファイルは、ＵＥの時間的な統計情報および／または空間的な統計情報を含むことができる。例えば、ＢＳは、ＵＥの送信履歴を追跡することができる。この履歴には、以前のＵＬ送信のためにＵＥによって使用されたＵＬ送信電力および／またはＵＬビームインデックスが含まれ得る。ある実施形態では、ビームインデックスは、ビームコードブック内のエントリへの参照であり得、ここで、エントリは、ビーム方向および／またはビーム幅に関連する情報を含み得る。ＭＰＥプロファイルを構築するためのメカニズムは、本明細書でより詳細に説明される。
【００６４】
[0072]ステップ４４０において、ＢＳは、（例えば、スケジューリング要求を介して）ＵＥによって要求されたペイロードサイズおよび／またはＭＰＥプロファイルに基づいて、ＵＥのためのＵＬ送信構成を決定する。ＵＬ送信構成は、ビームインデックス、ＵＬ送信電力パラメータ、またはリソース割振り（例えば、ＲＢの数）のうちの少なくとも１つを含むことができる。ＭＰＥプロファイルに基づいてＵＬ送信構成を決定するためのメカニズムが、本明細書でより詳細に説明される。
【００６５】
[0073]ステップ４５０において、ＢＳは、例えば、定常状態期間４０４中にＵＬ送信構成をＵＥに送信する。例えば、ＢＳは、サブフレームの制御部分（例えば、物理ダウンリンク制御チャネル（ＰＤＣＣＨ））においてＵＬ送信構成を送信し得、リソースは、サブフレームのデータ部分（例えば、ＰＵＳＣＨ）から割り振られ得る。
【００６６】
[0074]ステップ４６０において、ＵＥは、定常状態期間４０４中に、例えば、ＵＬ送信構成によって示されるサブフレームのＰＵＳＣＨ部分中に、受信されたＵＬ送信構成に基づいてＵＬ通信信号をＢＳに送信する。例えば、ＵＥは、ビームフォーミングを実行してビームインデックスに基づいて指向性ビームを生成し、ＵＬ送信電力パラメータにしたがって送信電力を構成し、割り振られたリソースを使用して、構成された送信電力で、指向性ビーム上でデータ信号を送信し得る。
【００６７】
[0075]図４は、トレーニング期間４０２および定常状態期間４０４を重複していないものとして示しているが、いくつかの実施形態では、トレーニング期間４０２および定常状態期間４０４は重複し得る。例えば、ＵＥは、２つのＲＦチェーンを含むことができ、１つは、４１０〜４２０のステップにおける動作のようなトレーニング動作のためのものであり、１つは、４５０〜４６０のステップにおける動作のような定常状態動作のためのものである。ＢＳは、本明細書でより詳細に説明するように、ＵＥのための長期ＭＰＥプロファイルメトリックを決定するために様々なタイプの平均化を使用し得る。示されていないが、トレーニング期間４０２は、セル展開構成に応じて、例えば、１分、２分、３分、またはそれ以上ごとに、定常状態期間４０４の持続時間にわたって繰り返され得る。
【００６８】
[0076]いくつかの実施形態では、ＢＳは、複数のＵＥにサービス提供し得る。ＢＳは、ＵＥのためのデバイス固有ＭＰＥプロファイルを生成するために、各ＵＥに対して同じプロセスを繰り返し得る。ＢＳは、対応するデバイス固有ＭＰＥプロファイルに基づいて、ＵＥのためのＵＬ送信構成を決定し得る。
【００６９】
[0077]図５は、本開示のいくつかの実施形態に係る、ＭＰＥコンプライアンスのための通信方法５００のシグナリング図である。方法５００は、ネットワーク（例えば、ネットワーク１００）内のＢＳ（例えば、ＢＳ１０５および３００）ならびにＵＥ（例えば、ＵＥ１１５および２００）によってインプリメントされる。方法５００のステップは、ＢＳおよびＵＥのコンピューティングデバイス（例えば、プロセッサ、処理回路、および／または他の適切な構成要素）によって実行され得る。例示されるように、方法５００は、いくつかの列挙されたステップを含むが、方法５００の実施形態は、列挙されたステップの前、後、および合間に追加のステップを含み得る。いくつかの実施形態では、列挙されたステップのうちの１つまたは複数は、省略され得るか、または異なる順序で実行され得る。
【００７０】
[0078]ステップ５０５において、ＢＳは、例えば、定常状態期間４０４と同様の定常状態期間５０２中に、ＵＥのための第１のＵＬ送信構成を決定する。ＢＳおよびＵＥは、例えば、４１０〜４３０のステップで説明したような、少なくともいくつかのトレーニング動作を完了している可能性がある。ＢＳは、図４に関して上で説明したステップ４３０にあるように、ＵＥのＵＬ送信のＭＰＥプロファイルまたは統計情報を取得している可能性がある。ＢＳは、ＭＰＥプロファイルに基づいて第１のＵＬ送信構成を決定し得る。
【００７１】
[0079]ステップ５１０において、ＢＳは、第１のＵＬ送信構成を送信する。方法４００と同様に、ＢＳは、サブフレームのＰＤＣＣＨ部分においてＵＬ送信構成を送信し得、リソースは、サブフレームのＰＵＳＣＨ部分から割り振られ得る。
【００７２】
[0080]ステップ５１５において、ＵＥは、第１のＵＬ送信構成に基づいて第１のＵＬ通信信号を送信する。
【００７３】
[0081]ＢＳは、定常状態期間５０２中にＵＥのための１つまたは複数のＵＬ送信機会を許可し得る。例えば、ステップ５２０において、ＢＳは、ＵＥのＭＰＥプロファイルに基づいて、ＵＥのための第ＫのＵＬ送信構成を決定する。
【００７４】
[0082]ステップ５２５において、ＢＳは、第ＫのＵＬ送信構成を送信する。
【００７５】
[0083]ステップ５３０において、ＵＥは、第ＫのＵＬ送信構成に基づいて第ＫのＵＬ通信信号を送信する。
【００７６】
[0084]定常状態期間５０２中、ＵＥは、瞬間ＭＰＥ違反を監視し、そのような違反をＢＳに報告し得る。示されるように、ステップ５４０において、ＵＥは、時点ｔ（Ｋ）においてＭＰＥ違反を検出する。例えば、ＵＥは、時点ｔ（Ｋ）において瞬間ＭＰＥ制約またはＭＰＥパラメータを決定することができ、示されているように、第ＫのＵＬ通信信号の送信が瞬間ＭＰＥパラメータを超えることに基づいて違反を検出し得る。代替的に、ＵＥは、ＢＳによって割り当てられた第ＫのＵＬ送信構成に基づいて、例えば、第ＫのＵＬ通信信号を送信することなく、第ＫのＵＬ送信構成内の割り当てられたＵＬ送信電力パラメータまたは割り当てられたビームインデックスに基づいて、違反を検出し得る。
【００７７】
[0085]ステップ５４５において、瞬間ＭＰＥ違反を検出すると、ＵＥは、この違反をＢＳに通知する瞬間ＭＰＥ報告をＢＳに送信する。
【００７８】
[0086]ステップ５５０において、瞬間ＭＰＥ違反報告を受信すると、ＢＳは、第ＫのＵＬ送信構成を更新し得る。例えば、ＢＳは、第ＫのＵＬ送信構成内のビームインデックス、ＵＬ送信電力パラメータ、および／またはリソース割振りを更新または調整することによって、後続のＵＬ送信のための第（Ｋ＋１）のＵＬ送信構成を決定し得る。ＢＳは、ＵＥが特定の時間期間にわたっておよび／または特定の空間内でＭＰＥ制約を満たし得るように、瞬間ＭＰＥ違反を時間的におよび／または空間的に平均化することによって第（Ｋ＋１）のＵＬ送信構成を決定することができる。
【００７９】
[0087]ステップ５５５において、ＢＳは、第（Ｋ＋１）のＵＬ送信構成を送信する。
【００８０】
[0088]ステップ５６０において、ＵＥは、第（Ｋ＋１）のＵＬ送信構成に基づいて第（Ｋ＋１）のＵＬ通信信号を送信する。
【００８１】
[0089]ある実施形態では、ＢＳは、ＵＬ送信構成および／または瞬間ＭＰＥ違反に基づいてＭＰＥプロファイルを更新することができる。このように、ＭＰＥプロファイルは、本明細書でより詳細に説明するように、ＵＥのＵＬ送信の長期履歴を提供することができる。
【００８２】
[0090]図６は、本開示のいくつかの実施形態に係る、ＭＰＥコンプライアンスのための通信方法６００のシグナリング図である。方法６００は、ネットワーク（例えば、ネットワーク１００）内のＢＳ Ａ（例えば、ＢＳ１０５および３００）、ＢＳ Ｂ（例えば、ＢＳ１０５および３００）、およびＵＥ（例えば、ＵＥ１１５および２００）によってインプリメントされる。方法６００は、それぞれ図４および図５に関して上で説明した方法４００および５００と実質的と同様であるが、ＭＰＥプロファイルの追跡およびＵＬ送信構成の決定は、複数のＢＳ（例えば、ＢＳ ＡおよびＢＳ Ｂ）の間で協調され得る。方法６００のステップは、ＢＳおよびＵＥのコンピューティングデバイス（例えば、プロセッサ、処理回路、および／または他の適切な構成要素）によって実行され得る。例示されるように、方法６００は、いくつかの列挙されたステップを含むが、方法６００の実施形態は、列挙されたステップの前、後、および合間に追加のステップを含み得る。いくつかの実施形態では、列挙されたステップのうちの１つまたは複数は、省略され得るか、または異なる順序で実行され得る。
【００８３】
[0091]ステップ６１０において、ＵＥは、例えば、トレーニング期間４０２と同様のトレーニング期間６０２中に、１つまたは複数の最大許容ＵＬ電力報告をＢＳ ＡおよびＢＳ Ｂに送信し得る。最大許容ＵＬ送信電力報告は、トレーニング期間６０２中の様々な時刻における、ＭＰＥ制約を満たしつつＵＥが送信することができる最大許容ＵＬ送信電力を示す。ＵＥは、最大許容ＵＬ送信電力を決定するために、方法４００において説明されたものと同様のメカニズムを用い得る。
【００８４】
[0092]ステップ６２０において、ＢＳ ＡおよびＢＳ Ｂは、ＵＥのためのＭＰＥプロファイルを決定するために（例えば、バックホール通信を介して）互いに協調する。例えば、ＢＳ Ａは、ＵＥのサービングＢＳであり得、ＢＳ Ｂは、隣接セルにサービス提供するＢＳであり得る。
【００８５】
[0093]ステップ６３０において、ＢＳ ＡおよびＢＳ Ｂは、ＵＥのＭＰＥプロファイルに基づいてＵＥのためのＵＬ送信構成を決定するために（例えば、バックホール通信を介して）互いに協調する。いくつかの実施形態では、ネットワークは、複数のＵＥを含み得る。ＢＳ ＡおよびＢＳ Ｂは、本明細書でより詳細に説明するように、ＵＥから最大許容ＵＬ送信電力を収集し、ネットワークレベルデバイス固有ＭＰＥプロファイルまたは地理的ＭＰＥマップを生成するために互いに協調し得る。そのような実施形態では、ＢＳ ＡおよびＢＳ Ｂは、ネットワークレベルデバイス固有ＭＰＥプロファイルに基づいてＵＥのためのＵＬ送信構成を決定するために互いに協調することができる。
【００８６】
[0094]ステップ６４０において、ＢＳ Ａは、定常状態期間４０４および５０２と同様の定常状態期間６０４中にＵＬ送信構成をＵＥに送信する。例えば、ＢＳ ＡおよびＢＳ Ｂは、ＢＳ ＡがＢＳ ＢよりもＵＥからのビームを受信するのに適しているかまたは効果的である（例えば、より良い性能である）と決定し得る。その後、ステップ６５０において、ＵＥは、ＵＬ通信信号をＢＳ Ａに送信し得る。
【００８７】
[0095]代替的に、ＢＳ ＡおよびＢＳ Ｂは、ＢＳ Ｂが、ＢＳ ＢよりもＵＥからビームを受信するのに適しているかまたは効果的であると決定し得る。破線の矢印によって示されるように、ＢＳ Ｂは、ステップ６６０において、ＵＬ送信構成をＵＥに送信し得、ＵＥは、ステップ６７０において、ＵＬ通信信号をＢＳ Ｂに送信し得る。このように、ＢＳ Ａおよび／またはＢＳ Ｂは、ＢＳ ＡとＢＳ Ｂとの間でＵＬ受信を切り替えるビームハンドオーバ命令または指示をＵＬ送信構成中に含めることができる。
【００８８】
[0096]図７は、本開示のいくつかの実施形態に係る、ＭＰＥコンプライアンスのためのＵＬ構成方法７００を例示する概略図である。方法７００は、ＢＳ１０５および３００のようなＢＳによって用いられ得る。例えば、ＢＳは、ＭＰＥプロファイル生成構成要素７２０およびＵＬ送信構成決定構成要素７３０を含み得る。ＢＳは、図４に関して上で説明した方法４００のステップ４３０および４４０において、図５に関して上で説明した方法５００のステップ５０５、５２０、および５５０において、ならびに／または図６に関して上で説明した方法６００のステップ６２０および６３０において、方法７００をインプリメントし得る。
【００８９】
[0097]上で同様に説明したように、ＢＳは、複数の報告７１０をＵＥから受信し得る。各報告７１０は、例えば、（例えば、ＦＣＣおよび／またはＩＣＮＩＲＰからの）特定のＭＰＥ規制にしたがって、特定の時刻における、ＭＰＥ制約またはＭＰＥパラメータを満たす最大許容ＵＬ送信電力を示し得る。ＢＳは、トレーニング期間７０２（例えば、トレーニング期間４０２および６０２）にわたって様々な時刻（例えば、ｔ（１）．．．ｔ（Ｎ））または報告機会に、報告７１０を受信し得る。報告７１０は、それぞれ時刻ｔ（１）〜ｔ（Ｎ）における報告に対応して７１０ｔ（１）〜７１０ｔ（Ｎ）と示される。
【００９０】
[0098]加えて、ＢＳは、定常状態期間７０４（例えば、定常状態期間４０４、５０２、および６０４）中の様々な時刻（例えば、ｔ（ｉ）．．．ｔ（Ｋ））に、複数のＵＬ送信７１２をＵＥ（例えば、ＵＥ１１５および２００）から受信し得る。ＵＬ送信７１２は、異なるビーム幅および／またはビーム方向を有する様々なビーム７１４を使用して送信され得る。ＢＳは、ＵＬ送信７１２の各々について、ＵＬ送信電力、ＵＬ受信電力、および／またはビームインデックスを決定し得る。ビームインデックスは、対応するＵＬ送信７１２に使用されるビーム７１４のビーム幅および／またはビーム方向を表し得る。ＵＬ送信７１２は、それぞれ時刻ｔ（ｉ）〜ｔ（Ｋ）におけるＵＬ送信に対応して７１２ｔ（ｉ）〜７１０ｔ（Ｋ）と示される。
【００９１】
[0099]ＭＰＥプロファイル生成構成要素７２０は、報告７１０および／またはＵＬ送信７１２に関連する電力情報および／またはビーム情報を受信し得る。ＭＰＥプロファイル生成構成要素７２０は、時間および空間にわたってＵＥのＵＬ送信のＭＰＥプロファイル７２２を生成するように構成され得る。ＭＰＥプロファイル７２２は、三次元（３Ｄ）ビューまたはチャートの形式であり得る。ＭＰＥプロファイル７２２は、時間の関数としてＵＬ送信電力およびビームインデックスを追跡し得る。例えば、ｘ軸は、ある定数の単位で（in some constant units）時間を表し得、ｙ軸は、ある定数の単位でＵＬ送信電力を表し得、ｚ軸は、ある定数の単位でビームインデックスを表し得る。ゆえに、ＭＰＥプロファイル７２２の２Ｄのｘ−ｙスライスは、ＵＥについての時間的な統計情報を提供し得、ＭＰＥプロファイル７２２の２Ｄのｙ−ｚスライスは、ＵＥについての空間的な統計情報を提供し得る。
【００９２】
[0100]ＵＬ送信構成決定構成要素７３０は、ＭＰＥプロファイル７２２を受信し、ＵＥのためのＵＬ送信構成７４０を決定し得る。ＵＬ送信構成決定構成要素７３０は、ＭＰＥメトリックを取得するために、ＭＰＥプロファイル７２２中の統計情報（例えば、時間にわたって収集されたＵＬ送信電力）に長期平均化、中期平均化、または短期平均化を適用することができる。ＵＬ送信構成決定構成要素７３０は、ＭＰＥメトリックを取得するために、統計情報に加重平均、移動平均、指数平均、またはフィルタのような平均化関数を適用することができる。ＵＬ送信構成決定構成要素７３０は、（例えば、スケジューリング要求を介して）ＵＥによって要求されたペイロードサイズおよびＭＰＥメトリックに基づいて、ビームインデックスパラメータ、ＵＬ送信電力パラメータ、および／またはリソース（例えば、ＲＢの数）を決定し得る。ＵＬ送信構成決定構成要素７３０は、決定されたビームインデックスパラメータ、決定されたＵＬ送信電力パラメータ、および／または決定されたリソースを含むＵＬ送信構成７４０を出力し得る。いくつかの実施形態では、ＵＬ送信構成決定構成要素７３０は、信頼レベルに基づいてＵＬ送信構成７４０をさらに決定することができる。より高い信頼レベル（例えば、約９８パーセント（％））は、より低い信頼レベル（例えば、約８０％）より保守的なＵＬ割当て（例えば、より低いＵＬ送信電力、より少ないＲＢ、および／またはより狭いビーム幅）を生成することができる。いくつかの実施形態では、ＵＬ送信構成決定構成要素７３０は、様々なネットワーク状態、例えば、ネットワークトラフィック、チャネル状態、および／またはＢＳに対するＵＥの測位に基づいて、信頼レベルを変更または調整し得る。
【００９３】
[0101]いくつかの実施形態では、ＵＬ送信構成７４０は、量子化されたパラメータを示すことができる。例えば、ＵＬ送信構成７４０は、狭ビーム幅、中ビーム幅、または広ビーム幅を示すことができる。いくつかの実施形態では、ＵＬ送信構成７４０は、相対パラメータを示すことができる。例えば、ＵＬ送信構成７４０は、例えば、より広いビーム幅またはより狭いビーム幅を示すことができ、ここで、ビーム幅を増加または減少させるためのステップサイズは、あらかじめ定められているかまたは事前設定されているであろう。同様に、ＵＬ送信構成７４０は、例えば、より高いＵＬ送信電力またはより低いＵＬ送信電力を示すことができ、ＵＬ送信電力を増加または減少させるためのステップサイズは、あらかじめ定められているかまたは事前設定されているであろう。
【００９４】
[0102]ある実施形態では、ＭＰＥプロファイル生成構成要素７２０は、例えば、図６に関して上で説明した方法６００において示すように、協調している複数のＢＳによって共同で動作され得る。そのような実施形態では、ＭＰＥプロファイル生成構成要素７２０は、複数のＵＥのビームインデックスおよびＵＬ送信電力に関連する統計情報を収集し得る。ＭＰＥプロファイル生成構成要素７２０は、例えば、各ＵＥについて時間の関数としてビームインデックスおよびＵＬ送信電力をチャート化する、多次元ＭＰＥビューを含むネットワークレベルＭＰＥマップを生成し得る。
【００９５】
[0103]図８は、本開示の実施形態に係る、ＭＰＥコンプライアンスのための通信方法８００のフロー図である。方法８００のステップは、ワイヤレス通信デバイスのコンピューティングデバイス（例えば、プロセッサ、処理回路、および／または他の適切な構成要素）またはこれらステップを実行するための他の適切な手段によって実行され得る。例えば、ＵＥ１１５またはＵＥ２００のようなワイヤレス通信デバイスは、方法８００のステップを実行するために、プロセッサ２０２、メモリ２０４、ＭＰＥコンプライアンスモジュール２０８、トランシーバ２１０、モデム２１２、および１つまたは複数のアンテナ２１６のような１つまたは複数の構成要素を利用し得る。方法８００は、それぞれ図４、図５、図６、および／または図７に関して説明した方法４００、５００、６００、および／または７００と同様のメカニズムを用い得る。例示されるように、方法８００は、いくつかの列挙されたステップを含むが、方法８００の実施形態は、列挙されたステップの前、後、および合間に追加のステップを含み得る。いくつかの実施形態では、列挙されたステップのうちの１つまたは複数は、省略され得るか、または異なる順序で実行され得る。
【００９６】
[0104]ステップ８１０において、方法８００は、第１のワイヤレス通信デバイスによって、複数の報告（例えば、報告７１０）を第２のワイヤレス通信デバイスに送信することを含み、ここで、各報告は、ＭＰＥパラメータを満たす第１のワイヤレス通信デバイスにおける最大許容送信電力レベルを示す。第１のワイヤレス通信デバイスはＵＥであり得、第２のワイヤレス通信デバイスはＢＳ（例えば、ＢＳ１０５および３００）であり得る。ＭＰＥパラメータは、ユーザ身体に対する空間および／または時間の関数として、ＦＣＣおよび／またはＩＣＮＩＲＰのような規制機関によって決定されたＭＰＥ制約であり得る。
【００９７】
[0105]ステップ８２０において、方法８００は、第１のワイヤレス通信デバイスによって、報告に応答して、第１のワイヤレス通信デバイスに関連するＭＰＥプロファイル（例えば、ＭＰＥプロファイル７２２）に基づく第１の構成（例えば、構成７４０）を第２のワイヤレス通信デバイスから受信することを含む。
【００９８】
[0106]ステップ８３０において、方法８００は、第１のワイヤレス通信デバイスによって、第１の構成に基づいて第１のビームを使用して第１の通信信号を第２のワイヤレス通信デバイスに送信することを含む。
【００９９】
[0107]いくつかの実施形態では、第１のワイヤレス通信デバイスは、トレーニング期間（例えば、トレーニング期間４０２、６０２、および７０２）にわたって様々な時刻に、最大許容送信電力レベルを決定することができ、ここで、各最大許容送信電力レベルは、対応する時刻にＭＰＥパラメータを満たす。ＭＰＥプロファイルは、少なくともトレーニング期間にわたる最大許容送信電力レベルに関連する統計情報を含むことができる。
【０１００】
[0108]いくつかの実施形態では、第１のワイヤレス通信デバイスは、報告機会および／またはトレーニング期間を示す報告構成を第２のワイヤレス通信デバイスから受信することができる。
【０１０１】
[0109]いくつかの実施形態では、第１のワイヤレス通信デバイスは、第１の構成内のビームインデックス、送信電力パラメータ、またはリソース割振りのうちの１つに少なくとも基づいて、第１のビームを使用して第１の通信信号を送信することができる。
【０１０２】
[0110]いくつかの実施形態では、第１のワイヤレス通信デバイスは、第１の通信信号を送信することが瞬間ＭＰＥパラメータを満たすかどうかを決定することができる。第１の通信信号を送信することが瞬間ＭＰＥパラメータを満たさないと決定したとき、第１のワイヤレス通信デバイスは、瞬間ＭＰＥ違反報告を第２のワイヤレス通信デバイスに送信することができる。第１のワイヤレス通信デバイスは、瞬間ＭＰＥ違反報告に応答して第２の構成を第２のワイヤレス通信デバイスから受信することができる。第２の構成は、第１の構成から更新されたビームインデックス、送信電力パラメータ、またはリソース割振りのうちの少なくとも１つを示すことができる。その後、第１のワイヤレス通信デバイスは、第２の構成に基づいて第２の通信信号を送信することができる。
【０１０３】
[0111]いくつかの実施形態では、第１のワイヤレス通信デバイスは、複数の報告を第３のワイヤレス通信デバイス（例えば、別のＢＳ）にさらに送信することができる。第１のワイヤレス通信デバイスは、第１のビームとは異なる第２のビームを使用して第２の通信信号を第３のワイヤレス通信デバイスに送信することができる。例えば、第１の構成は、第１のワイヤレス通信デバイスを第２のワイヤレス通信デバイスから第３のワイヤレス通信デバイスにハンドオーバするよう求める命令を示すことができる。
【０１０４】
[0112]図９は、本開示の実施形態に係る、ＭＰＥコンプライアンスのための通信方法９００のフロー図である。方法９００のステップは、ワイヤレス通信デバイスのコンピューティングデバイス（例えば、プロセッサ、処理回路、および／または他の適切な構成要素）またはこれらステップを実行するための他の適切な手段によって実行され得る。例えば、ＢＳ１０５またはＢＳ３００のようなワイヤレス通信デバイスは、方法９００のステップを実行するために、プロセッサ３０２、メモリ３０４、ＭＰＥコンプライアンスモジュール３０８、トランシーバ３１０、モデム３１２、および１つまたは複数のアンテナ３１６のような１つまたは複数の構成要素を利用し得る。方法９００は、それぞれ図４、図５、図６、および／または図７に関して説明した方法４００、５００、６００、および／または７００と同様のメカニズムを用い得る。例示されるように、方法９００は、いくつかの列挙されたステップを含むが、方法９００の実施形態は、列挙されたステップの前、後、および合間に追加のステップを含み得る。いくつかの実施形態では、列挙されたステップのうちの１つまたは複数は、省略され得るか、または異なる順序で実行され得る。
【０１０５】
[0113]ステップ９１０において、方法９００は、第１のワイヤレス通信デバイスによって、複数の報告（例えば、報告７１０）を第２のワイヤレス通信デバイスから受信することを含み得、ここで、各報告は、ＭＰＥパラメータを満たす第１のワイヤレス通信デバイスにおける最大許容送信電力レベルを示す。第１のワイヤレス通信デバイスはＢＳであり得、第２のワイヤレス通信デバイスはＵＥ（例えば、ＵＥ１１５および２００）であり得る。ＭＰＥパラメータは、ユーザ身体に対する空間および／または時間の関数として、ＦＣＣおよび／またはＩＣＮＩＲＰのような規制機関によって決定されたＭＰＥ制約であり得る。
【０１０６】
[0114]ステップ９２０において、方法９００は、第１のワイヤレス通信デバイスによって、複数の報告に応答して、第２のワイヤレス通信デバイスに関連するＭＰＥプロファイル（例えば、ＭＰＥプロファイル７２２）に基づく第１の構成（例えば、構成７４０）を第２のワイヤレス通信デバイスに送信することを含む。
【０１０７】
[0115]ステップ９３０において、方法９００は、第１のワイヤレス通信デバイスによって、第１の構成に基づいて第１のビームから第１の通信信号を第２のワイヤレス通信デバイスから受信することを含む。
【０１０８】
[0116]いくつかの実施形態では、第１のワイヤレス通信デバイスは、複数の報告に少なくとも基づいて、第２のワイヤレス通信デバイスに関連するＭＰＥプロファイルを決定し、ＭＰＥプロファイルに少なくとも基づいて、ビームインデックス、送信電力パラメータ、またはリソース割振りのうちの少なくとも１つを含む第１の構成を決定することができる。
【０１０９】
[0117]いくつかの実施形態では、第１のワイヤレス通信デバイスは、トレーニング期間（例えば、トレーニング期間４０２、６０２、および７０２）にわたって様々な時刻に複数の報告を受信することができ、ここで、各最大許容送信電力レベルは、対応する時刻にＭＰＥパラメータを満たす。第１のワイヤレス通信デバイスは、トレーニング期間にわたる最大許容送信電力レベルに関連する統計情報を含むＭＰＥプロファイルを決定することができる。
【０１１０】
[0118]いくつかの実施形態では、第１のワイヤレス通信デバイスは、トレーニング期間を示す報告構成を第２のワイヤレス通信デバイスに送信することができる。
【０１１１】
[0119]いくつかの実施形態では、第１のワイヤレス通信デバイスは、第１の通信信号を送信することに関連する瞬間ＭＰＥ違反報告を第２のワイヤレス通信デバイスから受信することができる。第１のワイヤレス通信デバイスは、瞬間ＭＰＥ違反報告に応答して、第１の構成内のビームインデックス、送信電力パラメータ、またはリソース割振りのうちの少なくとも１つのうちの少なくとも１つを調整することによって、第２の構成を決定することができる。第１のワイヤレス通信デバイスは、第２の構成を第２のワイヤレス通信デバイスに送信することができる。第１のワイヤレス通信デバイスは、第２の構成に基づいて第２の通信信号を第２のワイヤレス通信デバイスから受信することができる。
【０１１２】
[0120]いくつかの実施形態では、第１のワイヤレス通信デバイスは、第２のワイヤレス通信デバイスに関連するＭＰＥプロファイルに基づいて第１の構成を決定するために、第３のワイヤレス通信デバイス（例えば、別のＢＳ）と協調することができる。例えば、第１のワイヤレス通信デバイスは、ネットワーク内の複数のワイヤレス通信デバイスに関連するネットワークレベルＭＰＥプロファイルを決定するために、第３のワイヤレス通信デバイスと協調することができ、ここで、複数のワイヤレス通信デバイスは、第２のワイヤレス通信デバイスを含む。第１のワイヤレス通信デバイスは、ネットワークレベルＭＰＥプロファイルに基づいて第２のワイヤレス通信デバイスを第３のワイヤレス通信デバイスから第１のワイヤレス通信デバイスにハンドオーバするために、第３のワイヤレス通信デバイスと協調することができる。
【０１１３】
[0121]情報および信号は、多種多様な技術および技法のうちの任意のものを使用して表され得る。例えば、上の説明全体にわたって参照され得るデータ、命令、コマンド、情報、信号、ビット、シンボル、およびチップは、電圧、電流、電磁波、磁場または磁性粒子、光場または光粒子、またはこれらの任意の組合せによって表され得る。
【０１１４】
[0122]本明細書の開示に関連して説明された実例となる様々なブロックおよびモジュールは、汎用プロセッサ、ＤＳＰ、ＡＳＩＣ、ＦＰＧＡもしくは他のプログラマブル論理デバイス、ディスクリートゲートもしくはトランジスタロジック、ディスクリートハードウェア構成要素、または本明細書で説明された機能を実行するように設計されたこれらの任意の組合せでインプリメントまたは実行され得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、コンピューティングデバイスの組合せ（例えば、ＤＳＰと、１つのマイクロプロセッサ、複数のマイクロプロセッサ、ＤＳＰコアに連結した１つまたは複数のマイクロプロセッサ、または任意の他のそのような構成との組合せ）としてインプリメントされ得る。
【０１１５】
[0123]本明細書で説明された機能は、ハードウェア、プロセッサによって実行されるソフトウェア、ファームウェア、またはそれらの任意の組合せでインプリメントされ得る。プロセッサによって実行されるソフトウェアでインプリメントされる場合、それら機能は、コンピュータ読取可能な媒体上の１つまたは複数の命令またはコードとして記憶または送信され得る。他の例およびインプリメンテーションは、添付の特許請求の範囲および本開示の範囲内である。例えば、ソフトウェアの性質により、上で説明した機能は、プロセッサによって実行されるソフトウェア、ハードウェア、ファームウェア、ハードワイヤリング、またはこれらの任意のものの組合せを使用して、インプリメントされることができる。機能をインプリメントする特徴はまた、様々な位置に物理的に位置し得、これには、機能の部分が異なる物理的ロケーションにおいてインプリメントされるように分配されることが含まれる。また、請求項を含め、本明細書で使用される場合、項目のリスト（例えば、「〜のうちの少なくとも１つ」または「〜のうちの１つまたは複数」のような表現が付される項目のリスト）で使用される「もしくは／または」は、例えば、［Ａ、ＢまたはＣのうちの少なくとも１つ］というリストが、ＡまたはＢまたはＣまたはＡＢまたはＡＣまたはＢＣまたはＡＢＣ（すなわち、ＡおよびＢおよびＣ）を意味するような包括的なリスト（inclusive list）を示す。
【０１１６】
[0124]現時点までに当業者が認識するように、近い将来の特定の用途に応じて、多くの修正、置換、または変形が、本明細書の精神および範囲から逸脱することなく、本開示のデバイスの材料、装置、構成、および使用方法においておよびそれらに対してなされ得る。これを踏まえると、本開示の範囲は、本明細書で例示および説明された特定の実施形態がそれのいくつかの例にすぎないため、それらの範囲に制限されるべきではなく、以下に添付の特許請求の範囲およびそれらの機能上の同等物の範囲に完全に一致すべきである。
【図１】
2021514588.tif 000003
【図２】
2021514588.tif 000004
【図３】
2021514588.tif 000005
【図４】
2021514588.tif 000006
【図５】
2021514588.tif 000007
【図６】
2021514588.tif 000008
【図７】
2021514588.tif 000009
【図８】
2021514588.tif 000010
【図９】
2021514588.tif 000011
【国際調査報告】
2021514588.tif 000012
2021514588.tif 000013
2021514588.tif 000014